(57)【特許請求の範囲】
【請求項１】
商品・サービスの情報を収集する第１の消費者端末と、前記第１の消費者端末からの、購入検討商品・サービスとその条件情報の提示を受けて、前記第１の消費者端末に商品・サービスの情報を提供する提供者（事業所）の売り手端末群と、前記第１の消費者端末及び前記売り手端末群と関連付けされ、商品・サービスの情報を処理する情報処理装置と、を有する情報処理システムであって、
前記情報処理装置は、
前記第１の消費者端末からの商品・サービスの情報の収集依頼を受け、
前記第１の消費者端末とは異なる第２の消費者端末群又は前記売り手端末群に対する前記商品・サービスの情報の収集依頼とその応答を受け付け、前記第１の消費者端末へ返信する処理を行い、
前記情報の収集の処理は、購入先や購入商品・サービスを決定づける個別的な条件を含まない第１の情報収集フェーズと、購入先や購入商品・サービスを決定づける個別的な条件を含む第２の情報収集フェーズとに分けられ、
前記第１の情報収集フェーズにおいては、前記第２の消費者端末群又は前記売り手端末群からの前記商品・サービスの情報の収集依頼への応答を受け付けると、前記第１の消費者端末に前記応答を送信し、
前記第２の情報収集フェーズにおいては、前記第１の消費者端末が前記第１の情報収集フェーズで収集した前記商品・サービスの情報の収集依頼への応答に基づいて前記第１の消費者端末から送信される購入先や購入商品・サービスを決定づける個別的な条件を受け付けると、前記売り手端末群に前記個別的な条件を送信し、前記売り手端末群からの前記商品・サービスの情報を前記第１の消費者端末に送信する
情報処理システム。
【請求項２】
前記第１の情報収集フェーズにおいて、
前記第１の消費者端末又は前記売り手端末群からの、前記購入検討商品・サービスとその条件情報の変更を受けると、さらに、前記第２の消費者端末群又は前記売り手端末群へ前記購入検討商品・サービスとその条件情報の変更を表示させ、前記第１の消費者端末における商品・サービスの条件変更操作がなされなくなるまで新たな応答を受け付ける処理を繰り返すことを特徴とする請求項１に記載の情報処理システム。
【請求項３】
前記情報処理装置は、
前記第２の情報収集フェーズにおいて
前記売り手端末群からの前記商品・サービスの情報の収集依頼への応答を受け付けると、前記第１の消費者端末に前記応答を送信し、
前記第１の消費者端末からの、前記購入検討商品・サービスとその条件情報の変更を受けると、さらに、前記売り手端末群へ前記購入検討商品・サービスとその条件情報の変更を通知し、前記第１の消費者端末における商品・サービスの条件変更操作がなされなくなるまで新たな応答を受け付ける処理を繰り返すことを特徴とする請求項１又は２に記載の情報処理システム。
【請求項４】
前記情報処理装置は、
前記売り手端末群の所有者の企業情報を含む名称と連絡先（ＵＲＩ）と企業情報を含まない対外表示事業所番号とを組として登録する第１情報処理装置と、
前記第１の消費者端末、前記売り手端末群、及び前記第２の消費者端末群間において、前記商品・サービスの情報の収集依頼、前記商品・サービスの情報の収集依頼への応答を、前記売り手端末群の所有者の企業情報を含む名称を用いずに間接表示とする前記対外表示事業所番号により特定される当該商品・サービス情報に基づいて実行させる第２の情報処理装置と
を有することを特徴とする請求項１に記載の情報処理システム。
【請求項５】
さらに、前記第２の情報処理装置は、
前記対外表示事業所番号を、前記第１の消費者端末からの情報収集依頼を特定する購入検討番号により特定される案件ごとに設定することを特徴とする請求項４に記載の情報処理システム。
【請求項６】
前記情報処理装置は、
前記第１の消費者端末、前記売り手端末群、及び前記第２の消費者端末群間において、前記商品・サービスの情報の収集依頼、前記商品・サービスの情報の収集依頼への応答を、前記売り手端末群の所有者の企業情報を含む名称を用いずに間接表示とする対外表示事業所番号により特定される当該商品・サービスの情報に基づいて実行させ、
前記対外表示事業所番号を、前記第１の消費者端末からの情報収集依頼を特定する購入検討番号により特定される案件ごとに設定させることを特徴とする請求項４に記載の情報処理システム。
【請求項７】
前記情報処理装置は、
前記第１の消費者端末の所有者の個人情報を含む名称と連絡先（ＵＲＩ）と個人情報を含まない対外表示個人番号とを組として登録する第１情報処理装置と、
前記第１の消費者端末、前記売り手端末群、及び前記第２の消費者端末群間において、前記サービスの情報の収集依頼、前記商品・サービスの情報の収集依頼への応答を、前記第１の消費者端末の所有者の個人情報を含む名称を用いずに間接表示とする前記対外表示個人番号により特定される購入検討条件情報に基づいて実行させる第２の情報処理装置と
を有することを特徴とする請求項１に記載の情報処理システム。
【請求項８】
さらに、前記第２の情報処理装置は、
前記対外表示個人番号を、前記第１の消費者端末の情報収集依頼を特定する購入検討番号により特定される案件ごとに設定することを特徴とする請求項７に記載の情報処理システム。
【請求項９】
前記情報処理装置は、
前記第１の消費者端末、前記売り手端末群、及び前記第２の消費者端末群間において、前記商品・サービスの情報の収集依頼、前記商品・サービスの情報の収集依頼への応答を、前記第１の消費者端末の所有者の個人情報を含む名称を用いずに間接表示とする前記対外表示個人番号により特定される購入検討条件情報に基づいて実行させ、
さらに、前記対外表示個人番号を、前記第１の消費者端末の情報収集依頼を特定する購入検討番号により特定される案件ごとに設定させることを特徴とする請求項７に記載の情報処理システム。
【請求項１０】
商品・サービスの情報を収集する第１の消費者端末と、前記第１の消費者端末からの、購入検討商品・サービスとその条件情報の提示を受けて、前記第１の消費者端末に商品・サービスの情報を提供する提供者（事業所）の売り手端末群と、前記第１の消費者端末及び前記売り手端末群と関連付けされ、商品・サービスの情報を処理する情報処理装置と、を有する情報処理システムにおける情報処理装置であって、
前記第１の消費者端末からの商品・サービスの情報の収集依頼を受け、前記第１の消費者端末とは異なる第２の消費者端末群又は前記売り手端末群に対する前記商品・サービスの情報の収集依頼とその応答を受け付け、前記第１の消費者端末へ返信する処理を行い、
前記情報の収集の処理は、購入先や購入商品・サービスを決定づける個別的な条件を含まない第１の情報収集フェーズと、購入先や購入商品・サービスを決定づける個別的な条件を含む第２の情報収集フェーズとに分けられ、
前記第１の情報収集フェーズにおいては、前記第２の消費者端末群又は前記売り手端末群からの前記商品・サービスの情報の収集依頼への応答を受け付けると、前記第１の消費者端末に前記応答を送信し、
前記第２の情報収集フェーズにおいては、前記第１の消費者端末が前記第１の情報収集フェーズで収集した前記商品・サービスの情報の収集依頼への応答に基づいて前記第１の消費者端末から送信される購入先や購入商品・サービスを決定づける個別的な条件を受け付けると、前記売り手端末群に前記個別的な条件を送信し、前記売り手端末群からの前記商品・サービスの情報を前記第１の消費者端末に送信する
ことを特徴とする情報処理装置。
【請求項１１】
商品・サービスの情報を収集する第１の消費者端末と、前記第１の消費者端末からの、購入検討商品・サービスとその条件情報の提示を受けて、前記第１の消費者端末に商品・サービスの情報を提供する提供者（事業所）の売り手端末群と、前記第１の消費者端末及び前記売り手端末群と関連付けされ、商品・サービスの情報を処理する情報処理装置と、を有する情報処理システムにおける情報処理方法であって、
前記情報処理装置は、
前記第１の消費者端末からの商品・サービスの情報の収集依頼を受け、前記第１の消費者端末とは異なる第２の消費者端末群又は前記売り手端末群に対する前記商品・サービスの情報の収集依頼とその応答を受け付け、前記第１の消費者端末へ返信する処理を行い、
前記情報の収集の処理は、購入先や購入商品・サービスを決定づける個別的な条件を含まない第１の情報収集フェーズと、購入先や購入商品・サービスを決定づける個別的な条件を含む第２の情報収集フェーズとに分けられ、
前記第１の情報収集フェーズにおいては、前記第２の消費者端末群又は前記売り手端末群からの前記商品・サービスの情報の収集依頼への応答を受け付けると、前記第１の消費者端末に前記応答を送信し、
前記第２の情報収集フェーズにおいては、前記第１の消費者端末が前記第１の情報収集フェーズで収集した前記商品・サービスの情報の収集依頼への応答に基づいて前記第１の消費者端末から送信される購入先や購入商品・サービスを決定づける個別的な条件を受け付けると、前記売り手端末群に前記個別的な条件を送信し、前記売り手端末群からの前記商品・サービスの情報を前記第１の消費者端末に送信する
ことを特徴とする情報処理方法。
【請求項１２】
請求項１１に記載の情報処理方法をコンピュータに実行させるためのプログラム。
【発明の詳細な説明】
【技術分野】
【０００１】
本発明は、情報収集等を行う情報処理技術に関する。
【背景技術】
【０００２】
商品、サービスなどの情報を収集するための技術について、例えば、特許文献１に記載されている。特許文献１は、各消費者及び企業が、夫々が必要とする情報を、各自の端末を使って、随時、データベースから引き出せる様にしたものである。これにより、消費者の購買行動、及び企業の販売活動を、より効率的に、より高い満足度を以て行える様に支援することができる。
【先行技術文献】
【特許文献】
【０００３】
【特許文献１】特開２００２−６３２８８号公報
【発明の概要】
【発明が解決しようとする課題】
【０００４】
しかしながら、上記特許文献１には、消費者と企業間の、それまでの情報蓄積量の相違、情報の新しさを含めた情報の質の相違に基づく情報の非対称性の解消を目的とする開示はない。また、１人の消費者と多数の他企業間で相互に情報収集と情報提供を行う企業との外部情報提供者の数の相違等に起因する情報の収集能力に関する非対称性に関する開示もない。
本発明は、消費者と企業との情報の非対称性を解消することを目的とする。
【課題を解決するための手段】
【０００５】
本発明の一観点によれば、購入検討のために商品、サービスの情報を収集する第１の消費者端末と、前記第１の消費者端末からの、購入検討商品・サービスとその条件情報の提示を受けて、前記第１の消費者端末に商品・サービスの情報を提供する提供者（事業所）の売り手端末群と、前記第１の消費者端末及び前記売り手端末群と関連付けされ、商品・サービスの情報を処理する情報処理装置と、を有する情報処理システムであって、前記情報処理装置は、さらに、前記第１の消費者端末からの商品・サービスの情報の提供依頼を受けて、前記第１の消費者端末とは異なる第２の消費者端末群に対する前記商品・サービスの情報の提供依頼への応答を受け付け、前記第１の消費者端末へ返信する処理を行うことを特徴とする情報処理システムが提供される。
【０００６】
前記情報処理装置は、第２の消費者端末群に対する前記商品・サービスの情報の収集依頼への応答を繰り返し受け付け、返信し、前記情報の収集処理は、前記第１の消費者端末の個別的な条件を含まない第１の情報収集フェーズと購入先や購入商品・サービスを決定づける個別的な条件を含む第２の情報収集フェーズに分けられていることを特徴とする。
【０００７】
情報の収集を２段階、すなわち消費者甲の個別的な条件を含まない情報収集フェーズと購入先や購入商品・サービスを決定づける個別的な条件を含む情報収集フェーズ（明細書でいう「（提供者選択準備フェーズ」）に分けて処理を行う。
【０００８】
前記第１の情報収集フェーズにおいて、他の消費者端末には変更を表示し、さらなる商品情報の提供を受けることを特徴とする。
【０００９】
前記情報処理装置は、前記売り手端末群からの前記商品・サービスの情報の収集依頼への応答を受け付けると、前記第１の消費者端末に前記応答を送信し、前記第１の消費者端末からの、前記購入検討商品・サービス条件情報の変更を受けると、さらに、前記売り手端末群へ前記購入検討商品・サービス条件情報の変更を通知し、新たな応答を受け付ける処理を前記第１の消費者端末における商品・サービスの変更通知が完了するまで繰り返すことを特徴とする。
【００１０】
他の消費者からの経験・知識に基づく情報と事業所からのビジネスに基づく情報を併せて判断ができること、消費者甲は納得できるまで、条件を変更しながら情報収集が続けられること、複数の事業者が初期の情報提供の段階から参加し、提供された情報の質・量により交渉相手候補に選ばれる仕組みであることから、官公庁調達における指名競争入札制度における入札の前に入札に参加する業者を絞り込む、事前の業者審査・選定の仕組みと同様に、金額以外の条件競争の効果が期待でき、金額以外の面でも事業者間の競争が誘発される。
【発明の効果】
【００１１】
本発明によれば、消費者と企業との情報の非対称性を解消することができる。
【図面の簡単な説明】
【００１２】
【図１Ａ】本実施の形態による情報処理システムの一構成例を示す機能ブロック図である。
【図１Ｂ】処理部（１）の一構成例を示す機能ブロック図である。
【図１Ｃ】処理部（２）の一部の一構成例を示す機能ブロック図である。
【図１Ｄ】第１情報処理装置の一構成例を示す機能ブロック図である。
【図１Ｅ】処理部（２）の一部の一構成例を示す機能ブロック図である。
【図１Ｆ】処理部（３）の一構成例を示す機能ブロック図である。
【図１Ｇ】処理部（２）の一部の一構成例を示す機能ブロック図である。
【図１Ｈ】処理部（２）の一部の一構成例を示す機能ブロック図である。
【図２】連絡先登録処理の流れの一例を示すフローチャート図である。
【図３】入力画面Ｂ入力-１、−２の一例を示す図である。
【図４】図４（ａ）は、Ｂ−２消費者テーブルＢの一構成例を示す図である。図４（ｂ）は、Ｂ−６提供者（事業所）テーブルＢの一構成例を示す図である。
【図５】ログインＩＤ、パスワードを発行する処理の流れを示すフローチャート図である。
【図６】図６（ａ）は、Ｃ−２消費者テーブル、図６（ｂ）は、Ｃ−６提供者（事業所）テーブルの一構成例を示す図である。
【図７】購入検討商品・サービスとその条件情報の登録処理の一例の流れを示すフローチャート図である。
【図８】図８（ａ）は、Ｅ−１購入検討番号一覧の一構成例を示す図であり、図８（ｂ）は、検討フェーズコードの一例を示す図である。図８（ｃ）は、Ｅ−２購入検討条件データの一例を示す図である。
【図９】ステップＳ３９からの処理を示すフローチャート図である。
【図１０】ステップＳ４０からの処理を示すフローチャート図である。
【図１１】図１１（ａ）は、Ｃ−２消費者テーブルの一構成例を示す図であり、（ｂ）から（ｄ）は、公開用の一覧Ｊ−０〜２の一例を示す図である。
【図１２】Ｆ−２当該商品情報（提供者（事業者）による入力情報）の一例を示す図である。
【図１３】図３２に示す表示のためのデータ構成例として、商品・サービス分類が住宅、土地である場合の条件発信内容（Ｅ−３）の一例を示す図である。
【図１４】評価完了フラグ、選択完了フラグの一例を示す図である。
【図１５】購入検討商品・サービスとその条件情報の登録処理の一例を示すフローチャート図である。
【図１６】図１６（ａ）はＣ−６、図１６（ｂ）はＪ−３の一覧表示を示す図である。
【図１７】購入検討商品・サービスと、その条件情報閲覧（公開情報）処理の一例を示すフローチャート図である。
【図１８】売り手端末および他の消費者端末が、購入検討商品情報をもとに当該商品情報を、消費者端末に提供する処理の流れを示すフローチャート図である。
【図１９】他の消費者の閲覧・入力からの処理の流れを示すフローチャート図である。
【図２０】図２０（ａ）はＥ−１、図２０（ｂ）はＥ−２の一覧表示を示す図である。
【図２１】（ａ）〜（ｆ）は、それぞれＴ-１、Ｔ−２、Ｔ−３、Ｔ−５、Ｔ-６、Ｔ-７までのデータ構成例（項目名）を示す図である。
【図２２】Ｆ−１の一覧表示を示す図である。
【図２３】ステップＳ１１６からの処理例を示すフローチャート図である。
【図２４】Ｆ−２の一覧表示を示す図である。
【図２５】閲覧入力処理１、２からの処理の流れを示すフローチャート図である。
【図２６】消費者甲端末が、第２情報登録装置にログインし、評価（絞り込み）を行う処理の流れを示すフローチャート図である。
【図２７】Ｔ−４作業ファイルの一覧表示を示す図である。
【図２８】評価・選択表示の流れを示すフローチャート図である。
【図２９】データの保存、評価・選択の決定処理例を示す図である。
【図３０】提案・見積もり対象評価処理、交渉対象選択処理の流れを示すフローチャート図である。
【図３１】購入検討番号一覧表示画面を示す図である。
【図３２】消費者甲端末１に表示させる入力画面を示す図である。
【図３３】消費者甲端末１に表示させる入力画面を示す図である。
【図３４】購入検討番号の一覧を表示する画面を示す図である。
【図３５】Ｅ-２購入検討条件データ（個人番号・購入検討番号別）（図８（c））から、表示可・不可コード＝１を持つレコードを抽出し他の消費者端末に表示させる画面である。
【図３６】他の消費者端末において、該当する購入検討番号レコードを選択、入力する画面であり、内容確認する画面を示す図である。
【図３７】Ｅ-２購入検討条件データ（個人番号・購入検討番号別）から表示可・不可コード＝１を持つレコードを抽出し他の消費者端末に表示させた図である。
【図３８】他の消費者端末を用い、商品情報を入力する画面を示す図である。
【図３９】購入検討情報の一覧表示例を示す図である。
【図４０】売り手端末を用いて、当該商品の新規登録をする画面を示す図である。
【図４１】購入検討情報の画面を示す図である。
【図４２】評価結果（提案見積依頼先の絞込結果）を示す図である。
【図４３】選択結果（交渉先の絞込結果）を示す図である。
【図４４】評価・選択における評価入力と取り込み処理画面の例を示す図である。
【図４５】提供された商品情報の一覧表示例を示す図である。
【図４６】購入検討番号、当該商品の評価画面の一例を示す図である。
【発明を実施するための形態】
【００１３】
本明細書において、消費者に提供される商品とサービスとを含めて、商品・サービス、或いは、商品等と称する。
【００１４】
以下、本発明の実施の形態による情報処理技術について図面を参照しながら詳細に説明する。
【００１５】
図１Ａから図１Ｈまでは、本実施の形態による情報処理システムの一構成例及びその詳細な構成例を示す機能ブロック図である。
【００１６】
図１Ａに示すように、本実施の形態による情報処理システムＡは、商品・サービス等に関する情報を収集しようとする消費者（以下、「消費者甲」と称する。）が所持する消費者甲端末（第１の端末）１と、企業などの商品・サービス等の提供を行う売り手端末５と、第３者であるその他消費者群（消費者に限定されない第３者の端末でも良い。）のそれぞれが所持するその他消費者端末（第２の端末群）３と、を備える。そして、これらとネットワークＮＴを介して接続される第１情報登録装置１１と、第２情報登録装置２１と、第１表示装置３１と、を有する。第１情報登録装置１１と、第２情報登録装置２１と、第１表示装置３１とを合わせて、情報処理装置と称することもある。
【００１７】
端末１、３、５は、それぞれ、表示部１ａ、３ａ、５ａを備える例えばスマートフォンやＰＣなどである。
【００１８】
第１情報登録装置１１、第２情報登録装置２１と、第１表示装置３１とは、それぞれ、処理部（１）１３、処理部（２）２３、処理部（３）３３と、データベース（１）１５、データベース（２）２５、データベース（３）３５を備える一般的な情報処理装置であり、例えば、パーソナルコンピュータや管理サーバなどを用いることができる。データベースは、装置内に設けられた記憶部でも良いし、装置外に設けられ、ネットワーク接続されたサーバでも良い。
【００１９】
図１Ｂから図１Ｈまでの構成と機能については、以下における処理の説明とともに説明する。
【００２０】
以下、本実施の形態による情報処理技術における処理の流れについて詳細に説明を行う。
１）連絡先登録処理（連絡先登録処理部１３−１）
図１Ｂは、処理部（１）１３の一構成例を示す機能ブロック図である。
【００２１】
まず、図１Ｂに示す処理部（１）１３の連絡先登録処理部１３−１の連絡先（ＵＲＩ）登録処理について説明する。図２は、連絡先登録処理の流れの一例を示すフローチャート図である。
【００２２】
（ステップＳ１〜ステップＳ４：連絡先登録開始）
ステップＳ１で処理が開始され、ステップＳ２において、消費者（消費者甲および他の消費者）、提供者（事業所）（売り手）は、それぞれ消費者甲端末１もしくは他の消費者端末３、売り手端末５から第１表示装置３１にアクセスし、表示画面を閲覧し、連絡先等登録の項目を選択する。ステップＳ３において、それぞれの端末接続先が第１表示装置３１から第１情報登録装置１１に変更される。ステップＳ４において、第１情報登録装置は、消費者か提供者（事業所）かの選択を表示する。
【００２３】
（ステップＳ５〜ステップＳ８：消費者基本レコード生成）
ステップＳ５において、第１情報登録装置は、選択されたデータを入力データとして取り込み、その入力データから操作者は誰か、すなわち、消費者の端末（消費者甲端末１あるいは他の消費者端末３）であるか売り手端末５であるかを判定する。ステップＳ５で売り手端末５である場合はステップＳ１０へ遷移する。ステップＳ５で消費者端末である場合には、ステップＳ６において、第１情報登録装置１１は、図３（a）に示す入力画面Ｂ入力-１を消費者端末（１a、もしくは５a）の表示部に表示させる。次いで、ステップＳ７において、消費者が図３（a）の入力画面に入力を行い、ステップＳ８において、第１情報登録装置１１の新規レコード生成部１３−１−１（図１Ｂ（ｂ））は、入力されたデータを項目名に従い取り込み、データベース（１）１５内のＢ−２消費者テーブルＢ（図４（a））に新規にＢ-2消費者基本レコードを生成追加、テーブルフラグ＝１、初回時フラグ＝１とし、個人番号（ユニークな番号）、本システム登録年月日、本システム登録年を生成し、取り込んだデータと共に項目名が一致する同一項目名の項目のデータとして生成追加した当該レコードに格納する。
【００２４】
（ステップＳ９：消費者基本レコードを第２情報登録装置に格納）
引き続き、ステップＳ９において、第１情報登録装置１１の新規レコード書き込み処理部１３−１−２（図１Ｂ（ｂ））は、当該レコードから個人番号、初回時フラグ、メールアドレス、本システム登録年のデータを得、第２情報登録装置のデータベース（２）２５のＣ−２消費者テーブル（図６（a））に新規にＣ-2消費者基本レコードを生成追加し、それらデータを生成追加した当該Ｃ-2消費者基本レコードに項目名が一致する同一項目名の項目のデータとして格納する。ステップＳ２０へ進む。
【００２５】
（ステップＳ１０〜ステップＳ１２：提供者（事業所）基本レコード生成）
一方、ステップＳ５において、端末接続先が売り手端末５の時には、ステップＳ１０に進み、ステップＳ１０において、第１情報登録装置１１は、データベース（１）１５のデータに基づいて、図３（ｂ）に示す入力画面Ｂ入力-２を表示部１１ａに表示させる。次いで、ステップＳ１１において、提供者（事業所）が図３（ｂ）の入力画面に入力を行い、ステップＳ１２において、第１情報登録装置１１の新規レコード生成部１３−１−１（図１Ｂ（ｂ））は、データベース（１）１５内のＢ-６提供者（事業所）テーブルB（図４（ｂ））に新規にＢ−６提供者（事業所）基本レコードとＢ−６提供商品レコードを生成追加し、入力されたデータを取り込み、商品・サービス分類コードの入力データについてはそれぞれを当該レコードの項目名「商品・サービス分類コード」と紐付け格納し、テーブルフラグ＝２、初回時フラグ＝１、とし、事業所番号（ユニークな番号）、本システム登録年月日、本システム登録年を生成し、入力されたデータと共に項目名が一致する同一項目名の項目のデータとして生成追加した当該両レコードに格納する。
【００２６】
（ステップＳ１３：提供者（事業所）レコードを第２情報登録装置に書き込む）
引き続き、ステップＳ１３において、第１情報登録装置１１の新規レコード書き込み処理部１３−１−２（図１Ｂ（ｂ））は、当該両レコードから事業所番号、テーブルフラグ、初回時フラグ、提供者名、提供商品サービスの数、商品・サービス分類コード（提供商品サービスの数だけ）、ホームページアドレス、メールアドレス、本システム登録年を得、第２情報登録装置２１のデータベース（２）２５のＣ−６提供者（事業所）テーブルに新規Ｃ−６提供者（事業所）基本レコードとＣ−６提供商品レコードを生成追加した上で、それらデータを項目名が一致する同一項目名の項目のデータとして生成追加した当該両レコード（Ｃ−６提供者（事業所）基本レコードとＣ−６提供商品レコード）に格納する。ステップＳ２３へ進む。
【００２７】
（図３および図４の内容の説明）
図３（ａ）は、Ｂ入力−１の入力画面例を示す図である。この入力画面から消費者の属性項目を入力することができる。
【００２８】
図３（ｂ）は、Ｂ入力−２の入力画面例を示す図である。この入力画面から提供者（事業所）の属性項目を入力することができる。
【００２９】
図４（ａ）は、Ｂ−２消費者テーブルＢの一構成例を示す図である。以下のテーブルでは、初回時（入会登録時）の入力データ、初回時（入会登録時）にシステムが生成するデータ、処理時にシステムが生成するデータを区別して示している。但し、全てのデータの入力が必要というわけではなく、消費者を特定する名前等と、メールアドレスなどの連絡先が必須である。
【００３０】
図４（ｂ）は、Ｂ−６提供者（事業所）テーブルＢの一構成例を示す図である。この場合にも、全てのデータの入力が必要というわけではなく、提供者を特定する提供者名等と、メールアドレスなどの連絡先が必須である。
【００３１】
以上により、Ｂ−２消費者テーブルＢ、Ｂ−６提供者（事業所）テーブルＢを、データベース（１）１５に格納し、また、Ｃ−２消費者テーブル、Ｃ−６提供者（事業所）テーブルを、データベース（２）２５に格納することができる。
【００３２】
図６（ａ）は、消費者テーブルの一構成例を示す図である。図６（ｂ）は、提供者（事業所）テーブルの一構成例を示す図である。この時点では、ログインＩＤとパスワードの欄は空欄である。
【００３３】
次いで、第２情報登録装置２１が、消費者（消費者甲および他の消費者）の個人番号、提供者（事業所）の事業所番号に対して、それぞれ、ログインＩＤ、パスワードを発行する処理について説明する。  図５は、ログインＩＤ、パスワードを発行する処理の流れを示すフローチャート図である。図１Ｃは、処理部２３の一構成例を示す機能ブロック図である。
【００３４】
（ステップＳ２０：消費者に対するログインＩＤ、パスワードの発行処理の開始）
ステップＳ２０において、消費者に対するログインＩＤ、パスワードの発行処理を開始する。
【００３５】
（ステップＳ２１：消費者の新規登録レコードの検索）
ステップＳ２１において、第２情報登録装置２１の消費者テーブル、提供者テーブル検索部２３−２は、初回時フラグ＝１であるＣ−２消費者テーブル（図６（a））のＣ-２消費者基本レコードを抽出する。
【００３６】
（ステップＳ２２：消費者に対するログインＩＤ、パスワードの発行および通知）
ステップＳ２２において、第２情報登録装置２１のログインＩＤ、ＰＷ生成発行部２３−３は、ログインＩＤ、パスワード（ユニークな番号）を生成し、それらデータをステップＳ２１で抽出したＣ-２消費者基本レコードの項目名「ログインＩＤ」、項目名「パスワード」の項目のデータとしてそれぞれ格納すると共に、第２情報登録装置２１のログインＩＤ、ＰＷ通知部２３−４は、当該Ｃ-２消費者基本レコードの項目名「メールアドレス」の項目のデータを使用して当該消費者にログインＩＤ、パスワードをメールにより知らせる。ステップ２６へ進む。
【００３７】
（ステップＳ２３：提供者（事業所）に対するログインＩＤ、パスワードの発行処理の開始）
ステップＳ２３において、提供者（事業所）に対するログインＩＤ、パスワードの発行処理を開始する。
【００３８】
（ステップＳ２４：提供者（事業所）の新規登録レコードの検索）
ステップＳ２４において、第２情報登録装置２１の消費者テーブル、提供者テーブル検索部２３−２は、初回時フラグ＝１であるＣ−６提供者（事業所）テーブル（図６（b））のＣ−６提供者（事業所）基本レコードを抽出する。
【００３９】
（ステップＳ２５：消費者に対するログインＩＤ、パスワードの発行および通知）
ステップＳ２５において、第２情報登録装置２１は、ログインＩＤ、パスワード（ユニークな番号）を生成し、それらデータをステップＳ２４で抽出したＣ-６提供者（事業所）基本レコードの項目名「ログインＩＤ」、項目名「パスワード」の項目のデータとしてそれぞれ格納すると共に、当該Ｃ-６提供者（事業所）基本レコードの当該レコードの項目名「メールアドレス」の項目のデータを使用して当該提供者（事業所）にログインＩＤ、パスワードをメールにより知らせる。
【００４０】
次いで、ステップＳ２６において、当該レコードの初回時フラグ＝999とし、処理を終了する（ステップＳ２７：エンド）。
【００４１】
以上により、図６（ａ）、図６（ｂ）のそれぞれのテーブルにおいて、ログインＩＤとパスワードを関連付けることができる。
以上の処理により、連絡先登録処理が終了する。
【００４２】
（購入検討商品・サービスとその条件情報の登録処理に必要なデータの説明：図７、図８）
２）次いで、購入検討商品・サービスとその条件情報の登録処理について説明する。図１Ｅは、処理部（２）２３の一構成例を示す機能ブロック図である。
【００４３】
図７は、購入検討商品・サービスとその条件情報の登録処理の一例の流れを示すフローチャート図である。図８（ａ）は、第２情報登録装置２１のデータベース（２）２５のE-1購入検討番号一覧の一構成例を示す図である。図８（ａ）において、購入検討番号、個人番号、購入検討番号登録日時、対外表示個人番号、商品・サービス分類コード、商品・サービス名、検討フェーズコード、新着フラグ、表示可・不可コードをE-１購入検討番号レコードという。図８（ｂ）は、検討フェーズコードの一例を示す図である。図８（c）は、第２情報登録装置２１のデータベース（２）２５のE-２購入検討条件データの一構成例を示す図である。図８（c）において、購入検討番号、個人番号、商品・サービス分類コード、商品・サービス名、条件発信番号の数をE-2購入検討番号レコードという。さらに条件発信番号、購入検討番号、個人番号、条件登録日時、新着フラグ、表示可・不可コード、質問・コメント、商品・サービス条件、購入条件をE-２条件発信番号レコードとする。
【００４４】
（ステップＳ３１：購入検討商品・サービスとその条件情報の登録処理の開始）
まず、処理が開始され（ステップＳ３１）、ステップＳ３２において、第２情報登録装置２１の購入検討商品・サービス及びその条件情報登録部２３−５は、購入検討商品・サービスとその条件情報の登録処理のためのログイン画面を表示し、消費者甲は消費者甲端末１から、ログインＩＤ、パスワードを入力する。第２情報登録装置２１の購入検討商品・サービス及びその条件情報登録部２３−５は、入力データを取り込む。
【００４５】
（ステップＳ３３：ログイン認証）
ステップＳ３３において、第２情報登録装置２１の個人番号検索部、購入検討番号一覧検索部２１−１は、取り込んだ当該ログインＩＤ、パスワードと一致するログインＩＤ、パスワードを持つレコードを抽出するという条件でC-2消費者テーブルのＣ-２消費者基本レコードを検索する。該当のレコードが抽出できないときは、たとえば「ログインＩＤ、パスワードが異なっていす、再度入力して下さい」と表示し、ステップＳ３２に戻る。該当のレコードが抽出できたときは、抽出した当該レコードから個人番号を（ログイン個人番号という）得、さらに、当該個人番号（＝ログイン個人番号）と一致する個人番号を持つＥ−１購入検討番号一覧のE-1購入検討番号レコードを検索抽出する。
【００４６】
（ステップＳ３４）
抽出の可否を判定し、抽出できたときはステップＳ３５へ進む。抽出できないときは、新規登録であるからステップＳ３９へ進む。
【００４７】
（ステップＳ３５）
次いで、ステップＳ３５において、購入検討番号一覧表示制御部２１−２は、当該個人番号（＝ログイン個人番号）と一致する個人番号をもつＥ-1購入検討番号一覧のE-１購入検討番号レコード、Ｅ-２購入検討番号レコードおよびＥ-２条件発信番号レコードを得、それらレコードからデータを得て表示用に編集し、購入検討番号一覧（図３１）として消費者甲端末１に表示させる。
【００４８】
（ステップＳ３６〜Ｓ３８：新規登録か既登録の条件内容変更か？消費者甲の選択操作）
ステップＳ３６において、購入検討番号一覧表示制御部２１−２は、追加を含め新規購入検討の場合は「新規登録」を、既に登録済みの購入検討の条件の変更の場合は該当する購入検討の「詳細」をクリックするよう、消費者甲端末１に表示させる。
【００４９】
ステップＳ３７において、消費者甲は、消費者甲端末１において図３１の表示に基づいて選択、操作を行い、購入検討番号一覧表示制御部２１−２は、消費者甲による当該選択操作入力（当該クリック操作入力）のデータを入力データとして取り込み、
ステップＳ３８において、取り込んだ当該入力データが、「新規登録」の時には、ステップＳ３９に進み、「詳細」の時にはステップＳ４０に進む。
【００５０】
（ステップＳ３９、Ｓ５１〜Ｓ５３：購入検討番号新規登録のときの処理開始）
図９は、ステップＳ３９からの処理、図１０は、ステップＳ４０からの処理を示すフローチャート図であり、
図９に示すように、ステップＳ３９から、ステップＳ５１に進み、ステップＳ５１において、第２情報登録装置２１の購入検討番号一覧表示制御部２１−２は、図３２の入力画面を消費者甲端末１に表示させる。
【００５１】
ステップＳ５２において、消費者甲は消費者甲端末１から入力を行い、入力終了後、完了確認操作を行う。
【００５２】
ステップＳ５３において、購入検討商品・サービス及びその条件情報登録部２３−５は入力データを入力項目に従い、項目名「商品・サービス分類コード」「商品・サービス名」「質問・コメント」「商品・サービス条件」「購入条件」の項目のデータとして取り込む。また、Ｅ-１購入検討番号一覧に新規のE-1購入検討番号レコードを生成追加し、購入検討番号（ユニークな番号）、対外表示個人番号（ユニークな番号）を生成し、当該個人番号とともに当該E-1購入検討番号レコードにそれぞれ項目名が一致する同一項目名の項目のデータとして格納する。さらに当該個人番号と一致する個人番号を持つＣ-２消費者テーブルのＣ−２消費者基本レコードとＣ-２消費者購入検討番号レコード（図１１（ａ））を抽出し、当該Ｃ−２消費者基本レコードの購入検討番号の数を＋１とし、購入検討番号、対外表示個人番号、当該個人番号を当該Ｃ-２消費者購入検討番号レコードの項目名「購入検討番号」、項目名「対外表示個人番号」、項目名「個人番号」の項目のデータとして格納する。
【００５３】
さらに、第２情報登録装置２１の購入検討商品・サービス及びその条件情報検索部２３−５は取り込んだ入力データの格納処理に関し、Ｅ-２購入検討条件データ（図８（c））に新規のE-2購入検討番号レコードおよび新規のE-2条件発信番号レコードを生成追加し、当該両レコードに個人番号（当該個人番号）、購入検討番号、商品・サービス分類コード、商品・サービス名、質問・コメント、商品・サービス条件、購入条件の各項目のデータをそれぞれ項目名が一致する同一項目名の項目のデータとして格納する。また、条件発信番号（ユニークな番号）および条件登録日時を生成した上で、条件発信番号の数＝１とし当該両レコードにそれぞれ項目名が一致する同一項目名の項目名の項目のデータとして格納する。
【００５４】
さらに当該Ｅ-１購入検討番号レコードの項目名「検討フェーズコード」の項目のデータ＝“情報収集フェーズ”、項目名「新着フラグ」の項目のデータ＝１、項目名「表示可・不可コード」の項目のデータ＝１とする（図８（ｂ））。
【００５５】
（ステップＳ５４〜Ｓ５５：登録した購入検討情報の公開準備）
図１１（ｂ）Ｊ−０公開表示一覧は、公開表示基本事項である。図１１（C）Ｊ−１公開用購入検討番号一覧（個人番号別）の個人番号、購入検討番号登録数、購入検討番号、登録日時、対外表示個人番号、商品・サービス分類コード、商品・サービス名、検討フェーズコード、新着フラグ、表示可・不可コードをＪ−１公開用購入検討番号レコードといい、図１１（d）Ｊ−２公開用購入検討条件データの個人番号、購入検討番号、商品・サービス分類コード、商品・サービス名、条件発信番号、登録日時、新着フラグ、表示可・不可コード、質問・コメント、商品・サービス条件、購入条件をＪ−２公開用購入検討条件レコードという。
【００５６】
次いで、ステップＳ５４において、第２情報登録装置２１の購入検討情報登録表示制御部２３−６は、第１表示装置３１にＪ−１公開用購入検討番号レコードおよびＪ−2公開用購入検討条件レコードの新規レコードを生成追加し、ステップＳ５３で作成した当該E-2条件発信番号レコードとステップＳ５３で作成した当該E-1購入検討番号レコードからデータを抽出し、生成・追加された新規レコードのＪ−１公開用購入検討番号レコードとＪ-２公開用購入検討条件レコードに対し、それらデータを項目名が一致する同一項目名の項目のデータとして格納し、Ｊ−０の項目名「新着登録数」の項目のデータ＝＋１とする。
これで、処理を終了する（ステップＳ５５）。
【００５７】
（ステップＳ４０、Ｓ６１〜Ｓ６３：既購入検討番号の条件変更のときの処理開始）
図１０に示すように、ステップＳ４０から、ステップＳ６１に進み、ステップＳ６１において、第２情報登録装置２１の購入検討番号一覧表示制御部２１−２は、図３３の入力画面を消費者甲端末１に表示させる。
【００５８】
ステップＳ６２において、消費者甲は消費者甲端末１から入力が行い、入力後、完了確認操作を行う。
【００５９】
ステップＳ６３において、購入検討商品・サービス及びその条件情報登録部２３−５は入力データを入力項目に従い、項目名「商品・サービス分類コード」「商品・サービス名」「質問・コメント」「商品・サービス条件」「購入条件」の項目のデータとして取り込む。取り込んだデータから購入検討番号を得、当該購入検討番号と一致する購入検討番号を持つE-2条件発信番号レコードをすべて抽出、すべての当該レコードについて、項目名「表示可・不可コード」の項目のデータを０、項目名「新着フラグ」の項目のデータを０にする。次いで、E-2購入検討条件データに新規のE-2条件発信番号レコードを生成追加し、その上で条件登録日時を生成し、項目名「条件発信番号の数」の項目のデータを＋１をした上で，新着フラグ＝１とし、新着フラグ、条件登録日時、取り込んだデータから得た質問・コメント、商品・サービス条件、購入条件の各項目のデータを当該新規のE-2条件発信番号レコードに項目名が一致する同一項目名の項目のデータとして格納する。当該購入検討番号と一致する購入検討番号を持つE-1購入検討番号レコードを得、当該E-1購入検討番号レコードの項目名「新着フラグ」の項目のデータを１、および項目名「表示可/不可コード」の項目のデータを１とする。 
【００６０】
（ステップＳ６４：登録した購入検討情報の公開準備）
ステップＳ６４において、当該購入検討番号と一致する購入検討番号を持つE-1購入検討番号レコードを得、当該レコードの項目名「検討フェーズコード」の項目のデータを確認し、項目名「検討フェーズコード」の項目のデータが“情報収集フェーズ”あるいは“再情報収集フェーズ”のとき ステップＳ６５に進む。検討フェーズコードが“提供者選択準備フェーズ”のときは、ステップＳ６６に進む。
【００６１】
（ステップＳ６５：検討フェーズが情報収集、再情報収集フェーズのときの公開準備）
ステップＳ６５において、第２情報登録装置２１の購入検討情報登録表示制御部２３−６は、第１表示装置３１のＪ−１公開用購入検討番号一覧とＪ-2公開用購入検討条件データにそれぞれＪ−1公開用購入検討番号レコード、Ｊ−2公開用購入検討条件レコードの新規レコードを生成・追加し、当該Ｅ-２購入条件レコード、E-2条件発信番号レコード、当該購入検討番号と一致する購入検討番号を持つE-1購入検討番号レコードからデータを抽出し、生成・追加された新規レコードのＪ−１公開用購入検討番号一覧レコードとＪ-2公開用購入検討条件レコードに項目名が一致する同一項目名の項目のデータとして格納し、Ｊ−０公開表示一覧（図１１（ｂ））の項目名「新着登録数」の項目のデータ＝＋１とすることで公開準備をする。
【００６２】
（ステップＳ６６：検討フェーズが提供者選択準備フェーズのとき売り手へメール）
ステップＳ６６においては、第２情報登録装置２１の検索結果報知部２３−９は、当該購入検討番号をＫＥＹに、当該購入検討番号を持つレコードを抽出する条件で、Ｆ−２当該商品情報（提供者（事業所）による入力情報：図１２）を検索し、該当するすべてのＦ-2購入検討番号レコードを得る。得られたすべてのＦ-2購入検討番号レコードについて、レコードごとにメールアドレスを抽出し、それを使用し当該提供者（事業所）にたとえば「購入条件の変更のお知らせ」という趣旨の内容をメールにより知らせるという処理を行う。 
【００６３】
ステップＳ６５、Ｓ６６から、ステップＳ６７に進み、処理を終了する（ステップＳ６７）。
【００６４】
尚、図１３は、購入検討商品・サービスとその条件情報の入力データ編集例として、商品、サービス分類が住宅、土地である場合のテキスト形式による編集例を示す図である。
【００６５】
（ステップＳ６７、Ｓ７１〜Ｓ７８：購入検討情報の公開および公開リストの整理）
３）表示及び提供者（事業所）への公開の連絡処理
図１Ｆは、処理部（３）３３の一構成例を示す機能ブロック図である。
次いで、購入検討商品・サービスとその条件情報の公開処理について説明する。図１５は、購入検討商品・サービスとその条件情報の公開処理の一例を示すフローチャート図である。図１５に示すように、ステップＳ６７からの処理が開始され、
ステップＳ７１において、第１表示装置３１の検索結果受け取り部３３−１はＪ−０公開表示一覧から新着登録数を得る。Ｎ＝０(処理数カウンター)、Ｍ＝０（表示期限内登録数）とする。
【００６６】
ステップＳ７２において、商品サービス分類コード比較部３３−２は、Ｊ−１公開用購入検討番号一覧のＪ−1公開用購入検討番号レコード（図１１（ｃ））からすべての購入検討番号を抽出し、抽出した購入検討番号のすべてについて、順次購入検討番号を設定し次の１）と２）を行う。
【００６７】
１）当該購入検討番号と一致する購入検討番号を持つＪ−1公開用購入検討番号レコードと第２情報登録装置のC-６提供者（事業所）テーブル（（図１６（ａ））のＣ-６提供商品レコードを検索・抽出する。
【００６８】
２）当該Ｊ−1公開用購入検討番号レコードの項目名「商品・サービス分類コード」の項目のデータが当該Ｃ-6提供商品レコードのいずれかのレコードの項目名「商品・サービス分類コード」の項目のデータが一致し、かつ当該Ｊ−1公開用購入検討番号レコードの登録日時により算定された経過期間がＪ−０公開表示一覧（図１１（ｂ））の表示期限に達しない場合、Ｍ＝Ｍ＋１とするとともに、メールアドレス取得・通知部３３−３は、当該Ｃ-６提供商品レコードから事業所番号を得、さらに当該事業所番号と一致する事業所番号を持つC-６提供者（事業所）テーブルのＣ-6提供者（事業所）基本レコードからメールアドレスを得て、当該メールアドレスをＪ−３メールアドレス一覧（図１６（ｂ））に追加する。
【００６９】
次いで、ステップＳ７３において、第１表示装置３１のメール発信部３３−４は、ステップＳ７２で作成されたＪ−３メールアドレス一覧（図１６（ｂ））を使用して、購入検討商品・サービス（商品・サービス分類コード、商品・サービス名）が登録されたことを知らせるメールを提供者（事業所）に送信する。
【００７０】
次いで、ステップＳ７４において、第１表示装置３１の購入検討情報登録表示制御部（1）２３−６は、Ｎ＝Ｎ+１とし、
ステップＳ７５において、Ｎと新規登録数とを比較する。Ｎ＜新規登録数の場合には、ステップＳ７２に戻り処理を繰り返す。Ｎ＞＝新規登録数の場合には、ステップＳ７６に進み、
ステップＳ７６において、Ｊ−０公開表示一覧（図１１（ｂ））の新規登録数＝Ｍとする。
【００７１】
次いで、ステップＳ７７において、Ｊ−１公開用購入検討番号一覧（図１１（c））のすべてのＪ−1公開用購入検討番号レコードについて項目名「登録日時」の項目データから登録日時からの経過期間を算定し、経過期間が、Ｊ−０公開表示一覧の新着とりやめ期限を越えている場合は当該Ｊ−1公開用購入検討番号レコードの新着フラグを０にし、また、Ｊ−０公開表示一覧の表示期限を越えている場合は当該Ｊ−1公開用購入検討番号レコードを削除する処理を行う。
【００７２】
以上により、提供者（事業所）（売り手端末５）への連絡および公開リストの整理が終了する（ステップＳ７８）。
【００７３】
（ステップＳ８１＝Ｓ７８、Ｓ８１〜Ｓ８４：購入検討情報の公開実行）
４）購入検討商品・サービスと、その条件情報閲覧（公開情報）処理
次いで、購入検討商品・サービスと、その条件情報閲覧（公開情報）処理について説明する。図１７は、購入検討商品・サービスと、その条件情報閲覧（公開情報）処理の一例を示すフローチャート図である。図１７に示すように、まず、ステップＳ７８から、処理が開始され（ステップＳ８１）、
ステップＳ８２において、第１表示装置に他の消費者、提供者（事業所）がアクセスすると、
ステップＳ８３において、第１表示装置３１の購入検討情報登録表示制御部（1）２３−６は、Ｊ−１公開用購入検討番号一覧のＪ−1公開用購入検討番号レコードから購入検討番号をすべて抽出し、抽出したすべての購入検討番号について、順次次の処理１），２）を行う。
【００７４】
１）当該購入検討番号と一致する購入検討番号を持つＪ−1公開用購入検討番号レコードとＪ−2公開用購入検討条件レコードをすべて抽出する。
【００７５】
２）１）で得られた両レコードについてＪ−2公開用購入検討条件レコードの項目名「条件発信番号」の項目をＫＥＹに当該両レコードを並び替えた上で同レコードのデータを表示用に編集する。
【００７６】
以上の処理終了後、他の消費者端末３もしくは売り手端末５に表示させる（図３４）。
これにより、他の消費者端末３、売り手端末５から、第１表示装置３１に登録されている購入検討情報を参照することができる公開状態となる。実際にアクセスがあった端末に、ステップＳ８３において、第１表示装置３１は、登録されている購入検討情報を表示させることができる（図３４）。
【００７７】
この処理により、インターネット上に公開されることになり提供者端末５のみならず、他の消費者端末３からも、購入検討情報を閲覧することができる。但し、図３４に表示される表示個人番号は、購入検討番号毎に設定される（個人番号ではなく購入検討番号に紐づいている）対外表示個人番号であることから、個人を特定できる個人情報でないため、提供者端末５のみならず、他の消費者端末３も、この段階では、個人を特定することができない。
【００７８】
図１８は、売り手端末および他の消費者端末が、購入検討商品情報をもとに当該商品情報を、消費者端末に提供する処理の流れを示すフローチャート図である。
【００７９】
（ステップＳ９１〜Ｓ９９：購入検討情報を閲覧に供するためのログイン処理）
５）提供者（事業所）および他の消費者が、購入検討商品情報をもとに当該商品・サービスに関する情報（以下、「当該商品情報」という。）を消費者甲端末１に提供する処理
図１８、図１９、図２３、図２５は、提供者（事業所）および他の消費者が、購入検討商品情報を閲覧し、その情報を元に当該商品情報を入力、入力したことを消費者甲端末１に提供する処理の流れを示すフローチャート図である。
【００８０】
まず、処理が開始され（ステップＳ９１）、売り手端末５あるいは他の消費者端末３の接続先の装置は第２情報登録装置２１に変更される。
【００８１】
ステップＳ９２において、他の消費者が他の消費者端末３から、また、提供者（事業者）が売り手端末５から、ログインＩＤ、パスワードを用いて、第２情報登録装置２１にログイン操作を行う。
【００８２】
ステップＳ９３において、第２情報登録装置２１ログインＩＤ、ＰＷ受付部２３−１１は、ログインＩＤ、パスワードを取り込む。取り込んだログインＩＤ、パスワードと一致するログインＩＤ、パスワードを持つＣ−２消費者テーブルのＣ-２消費者基本レコード（図６（ａ））を検索抽出し、抽出されたときはログイン認証結果を「あり」、抽出されられなかったときはログイン認証結果を「なし」とする。
【００８３】
ステップＳ９４において、ログイン認証結果が「なし」の場合にはステップＳ９７-１へ遷移する。ログイン認証結果が「あり」の場合には、端末が他の消費者端末（操作者が他の消費者）であるためステップＳ９５に進み、ステップＳ９５において当該Ｃ-２消費者基本レコードから個人番号、メールアドレスを得る。得られた個人番号を、ログイン個人番号という。そして、ステップＳ９６の他の消費者端末３の閲覧、入力処理に進む。
【００８４】
（ステップＳ９７−１：ログイン認証結果が「なし」のときの処理）
一方、ログイン認証結果が「なし」の場合には、端末が売り手端末（操作者が提供者（事業所））であるか、ログインＩＤ、パスワードが間違っているかのどちらかである。
【００８５】
ステップＳ９７−１において、第２情報登録装置他の消費者端末・売り手端末ログインＩＤ・ＰＷ受付部２３−１１は、取り込んだログインＩＤ、パスワードと一致するログインＩＤ、パスワードを持つＣ-6提供者（事業所）テーブルのＣ-６提供者（事業所）基本レコードを検索抽出し、抽出されたときはログイン認証結果を「あり」、抽出されられなかったときはログイン認証結果を「なし」とする。
【００８６】
（ステップＳ９７−２）
ステップＳ９７−２においてログイン認証結果が「なし」のときは、ログインID、パスワードが間違っている場合であるので、たとえば「ログインＩＤ、パスワードが異なっています」という旨の表示を行いステップＳ９２に戻る。ログイン認証結果が「あり」のときは、ステップＳ９８へ進む。
【００８７】
（ステップＳ９８〜ステップＳ９９）
ステップＳ９８において第２情報登録装置２１の消費者テーブルテーブル検索部２３−１２は、ステップＳ９７-１で得られた当該Ｃ-６提供者（事業所）基本レコードから事業所番号、メールアドレスを得る。得られた事業所番号をログイン事業所番号という。そして、ステップＳ９９に進み、提供者（事業者）端末５の閲覧、入力処理（ステップＳ１０９）に進む。
【００８８】
（ステップＳ９６〜Ｓ９７：他の消費者からの商品情報の入力処理の開始）
図１Ｇは、処理部（２）の一構成例を示す機能ブロック図である。
以下に、図１９を参照して、ステップＳ９６からの処理について説明する。
【００８９】
ステップＳ９６から、ステップＳ１００に進み、ステップＳ１００において、第２情報登録装置２１の他の消費者閲覧表示制御部２３−１３は、閲覧・入力対象範囲が「すべての購入検討番号」か、「それまでに情報提供した購入検討番号に限定」か選択するよう、他の消費者端末３の表示部３ａに表示させる。また、Ｔ-７作業ファイルのＴ-７表示購入検討情報リストレコード（図２１(ｆ)）をゼロクリヤーする。
【００９０】
次いで、ステップＳ１０１において第２情報登録装置２１の他の消費者入力受付部２３−１４は入力されたデータを閲覧・入力対象範囲選択結果として取り込む。閲覧・入力対象範囲選択結果が「すべての購入検討番号」」のときにはステップＳ１０２へ、「それまでに情報提供した購入検討番号に限定」のときにはステップＳ１１１へ、処理を進める。
【００９１】
（ステップＳ１０２：商品情報入力画面の表示）
ステップＳ１０２においては、第２情報登録装置２１の他の消費者閲覧表示制御部２３−１３は、Ｅ-１購入検討番号一覧（個人番号別、図２０（ａ））、Ｅ-２購入条件データ（個人番号・購入検討番号別）（図２０（b））から、項目名「表示可・不可コード」の項目のデータ＝１を持つすべてのＥ-１購入検討番号レコード、Ｅ-２購入検討番号レコードおよびＥ-２条件発信番号レコードを抽出する。抽出したＥ-２条件発信番号レコードからＴ-７表示購入検討情報リストレコードに格納されている条件発信番号を持つレコードを除外処理した上で、除外処理後のＥ-２条件発信番号レコードの有無を確認する。「無」のときは、たとえば「該当のデータはありません」と表示し、ステップＳ１１６へ遷移する。「有」のときは、除外処理後の当該Ｅ-２条件発信番号レコードの購入検討番号をＫＥＹに当該購入検討番号と一致する購入検討番号を持つレコードを抽出するという条件で上記Ｅ-１購入検討番号レコード、Ｅ-２購入検討番号レコードを検索する。抽出後の２レコード（Ｅ-１購入検討番号レコード、Ｅ-２購入検討番号レコード）と除外処理後の当該Ｅ-２条件発信番号レコードの３つのレコードを購入検討番号を第１のレベルのＫＥＹ、条件発信番号を第２のレベルのＫＥＹとして並び替えた上で表示用に編集を行い他の消費者端末３に表示させる（図３５）。
【００９２】
図２２のＦ-１当該商品情報（他の消費者による入力情報）は他の消費者が提供した商品・サービスに関わる情報のデータベースの例示である。図２２において、購入検討番号、個人番号（消費者甲）、対外表示他の消費者個人番号、他の消費者個人番号、メールアドレス（他の消費者）、商品・サービス分類コード、商品・サービス名、商品情報番号の数をＦ-1購入検討番号レコードとし、商品情報番号、購入検討番号、商品情報登録日時、条件発信番号、質問・コメント、商品・サービス条件、購入条件、添付ファイル、評価完了フラグ、提案・見積対象評価結果登録日時、提案・見積対象評価結果、選択完了フラグ、交渉対象選択結果登録日時、交渉対象選択結果、交渉対象選択コメントをＦ-1商品情報番号レコードとする。
【００９３】
（ステップＳ１０３：他の消費者による商品情報入力画面の入力）
ステップＳ１０３において、他の消費者は、他の消費者端末３を用いて、表示されている購入検討情報一覧表から入力するための購入検討情報（たとえば図３５の表の行）を選び、選択操作（例えば「選択」（たとえば図３５の表の行の右端のボタンをクリック）する。また、商品情報入力終了のときは終了を入力する（たとえば図３５の終了ボタンをクリックする）。
【００９４】
（ステップＳ１０３−１：終了か否かの判定）
ステップＳ１０３−１において、第２情報登録装置２１の他の消費者入力受付部２３−１４は、入力が終了のときはステップＳ１１６へ進む。終了でないときは、ステップＳ１０４へ進む。
【００９５】
（ステップＳ１０４：入力の取り込み）
ステップＳ１０４において、第２情報登録装置２１の他の消費者入力受付部２３−１４は、入力画面に従って選択操作入力データを購入検討情報（たとえば図３５の表の行）から項目名「購入検討番号」、「条件登録日時」の項目のデータを取り込み、購入検討番号、条件登録日時のデータとする。次いで、当該購入検討番号と一致する購入検討番号を持つE-1購入検討番号レコード、E-2購入検討番号レコードおよびE-2条件発信番号レコードを抽出し、表示用に編集を行い、入力画面（図３６参照）を他の消費者端末３に表示させる。
【００９６】
他の消費者は、他の消費者端末３を用いて入力し、入力後内容確認操作をする（図３６参照）。
【００９７】
第２情報登録装置２１の他の消費者入力受付部２３−１４は、入力されたデータを入力項目に従い、項目名「質問・コメント」「商品・サービス条件」「購入条件」「添付ファイル」の項目のデータとして取り込み、夫々質問・コメント、商品・サービス条件、購入条件、添付ファイルのデータとする。さらに当該条件登録日時と一致する条件登録日時を持つE-2条件発信番号レコードから個人番号（消費者甲の個人番号）、条件発信番号を得、当該購入検討番号と一致する購入検討番号を持つE-１購入検討番号レコードから、商品・サービス分類コード、商品・サービス名、対外表示個人番号を得、それらデータをＴ-１商品情報入力データにＴ-１入力レコード（図２１(a)）を生成追加した上で、項目名が一致する同一項目名の項目のデータとして生成追加した当該Ｔ-１入力レコードに格納する。
【００９８】
（ステップＳ１０５：入力データから購入検討番号の抽出処理）
ステップＳ１０５において、第２情報登録装置は、当該購入検討番号と一致する購入検討番号を持つレコードを抽出するという条件で購入検討番号をＫＥＹにＦ-１当該商品情報（他の消費者による入力情報）のＦ-1購入検討番号レコード（図２２（a））を検索抽出する。
【００９９】
（ステップＳ１０６：商品情報の格納その１）
ステップＳ１０６において、当該購入検討番号と一致する購入検討番号を持つレコードが抽出されない場合は、他の消費者にとって当該購入検討番号の案件に対して初めての商品情報提供であることからステップＳ１０７へ進む。当該購入検討番号を持つレコードが抽出された場合は既に商品情報を提供したことがある案件であるからステップＳ１１０へ進む。
【０１００】
（ステップＳ１０７：商品情報提供が初めての場合の商品情報データの格納）
第２情報登録装置２１の検索情報格納処理部２３−１６は、F-1当該商品情報（他の消費者による入力情報）にＦ-１購入検討番号レコードおよびＦ-１商品情報番号レコードを新規に生成追加する。次いで、対外表示他の消費者個人番号（ユニークな番号）、商品情報登録日時および商品情報番号（ユニークな番号）を生成するとともに、当該購入検討番号と一致する購入検討番号を持つＴ-１商品情報入力データのＴ-１入力レコード（図２１ (a)）から、個人番号、当該商品情報登録日時、条件発信番号、質問・コメント、商品・サービス条件、購入条件、添付ファイルの項目のデータを得て、それらデータを項目名が一致する同一項目名の項目のデータとして生成追加した当該両レコード（Ｆ-１購入検討番号レコードおよびＦ-１商品情報番号レコード）に格納する。また、個人番号、ステップＳ９５で得られているログイン個人番号およびメールアドレスを当該Ｆ-１購入検討番号レコードの項目名「項目名個人番号（消費者甲）」、項目名「他の消費者個人番号」、項目名「メールアドレス（他の消費者）」の項目のデータとしてそれぞれ格納する。
【０１０１】
さらに、Ｃ−２消費者テーブルに新規のＣ-２消費者購入検討番号レコード（図６（ａ））を生成追加し、対外表示他の消費者個人番号、当該購入検討番号、ログイン個人番号を、それぞれ追加された当該Ｃ-２消費者購入検討番号レコードの項目名「対外表示個人番号」、項目名「購入検討番号」、項目名「個人番号」の項目のデータとして格納する。
【０１０２】
次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１０２へ進む。
【０１０３】
（ステップＳ１１０：既に商品情報を提供したことがある案件への商品情報を格納）
ステップＳ１１０において、第２情報登録装置２１の検索情報格納処理部２３−１６は、F-1当該商品情報（他の消費者による入力情報）にＦ-１商品情報番号レコードを新規に生成追加する。次いで、対外表示他の消費者個人番号（ユニークな番号）、商品情報登録日時および商品情報番号（ユニークな番号）を生成するとともに、当該購入検討番号と一致する購入検討番号を持つＴ-１商品情報入力データのＴ-１入力レコード（ステップＳ１０４で作成）から、個人番号、当該商品情報登録日時、条件発信番号、質問・コメント、商品・サービス条件、購入条件、添付ファイルを得て、これらデータを項目名が一致する同一項目名の項目のデータとして生成追加した当該Ｆ-１商品情報番号レコードに格納する。次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１０２へ進む。
【０１０４】
（ステップＳ１１１：「それまでに情報提供した購入検討番号に限定」のときの入力）
ステップＳ１１１においての他の消費者閲覧表示制御部２３-１３は、ログイン個人番号と一致する他の消費者個人番号を持つＦ-1商品情報番号レコードから当該購入検討番号と一致する購入検討番号を持つＦ-1商品情報番号レコードを抽出する（過去情報提供レコードという）。次いで、当該過去情報提供レコードのすべてのレコードについて購入検討番号をＫＥＹに当該購入検討番号と一致する購入検討番号を持つE-1購入検討番号レコード、E-2購入検討番号レコード、E-2条件発信番号レコードを抽出し、またE-2条件発信番号レコードについては、項目名「表示可・不可コード」の項目のデータ=1を持つE-2条件発信番号レコードを抽出し（に絞り込み）、さらに抽出した（絞り込んだ）Ｅ-２条件発信番号レコードからＴ-７表示購入検討情報リストレコードに格納されている条件発信番号を持つレコードを除外処理した上で、除外処理後のＥ-２条件発信番号レコードの有無を確認する。「無」のときは、たとえば「該当のデータはありません」と表示し、ステップＳ１１６へ遷移する。「有」のときは、除外処理後の当該Ｅ-２条件発信番号レコードの購入検討番号をＫＥＹに当該購入検討番号と一致する購入検討番号を持つレコードを抽出するという条件で上記Ｅ-１購入検討番号レコード、Ｅ-２購入検討番号レコードを検索抽出する。抽出後の２レコードと除外処理後の当該Ｅ-２条件発信番号レコードの３つのレコードを購入検討番号を第１のレベルのＫＥＹ、条件発信番号を第２のレベルのＫＥＹとして並び替えた上で表示用に編集を行い、他の消費者端末３に表示させる（図３７）。
【０１０５】
（ステップＳ１１２：他の消費者による商品情報入力画面の入力）
ステップＳ１０３において、他の消費者は、他の消費者端末３を用いて、表示されている購入検討情報一覧表から提供する購入検討情報（たとえば図３７の表の行）を選び、選択操作（例えば「選択」（たとえば図３７の表の行の右端のボタンをクリック）をする。
【０１０６】
また、商品情報入力終了のときは終了を入力する（たとえば図３５の終了ボタンをクリックする）。
【０１０７】
（ステップＳ１１２−１：終了か否かの判定）
ステップＳ１１２−１において、第２情報登録装置２１の他の消費者入力受付部２３−１４は、入力が終了のときはステップＳ１１６へ進む。終了でないときは、ステップＳ１１３へ進む。
【０１０８】
（ステップＳ１１３：入力の取り込み）
第２情報登録装置２１の他の消費者入力受付部２３−１４は、入力画面に従って選択操入力データを購入検討情報（たとえば図３７の表の行）から項目名「購入検討番号」、「条件登録日時」の項目のデータを取り込み、夫々購入検討番号、条件登録日時のデータとする。
【０１０９】
次いで、第２情報登録装置２１の他の消費者閲覧表示制御部２３−１３は、当該購入検討番号と一致する購入検討番号を持つE-1購入検討番号レコード、E-2購入検討番号レコードおよびE-2条件発信番号レコードを抽出し表示用に編集を行い、入力画面（図３８参照）を他の消費者端末３に表示させる。
他の消費者は、他の消費者端末３を用いて入力し、入力後内容確認操作をする。
【０１１０】
第２情報登録装置２１の他の消費者入力受付部２３−１４は、入力されたデータを入力項目に従い、項目名「質問・コメント」「商品・サービス条件」「購入条件」「添付ファイル」の項目のデータとして取り込み、夫々質問・コメント、商品・サービス条件、購入条件、添付ファイルのデータとする。さらに当該条件登録日時と一致する条件登録日時を持つE-2条件発信番号レコードを抽出し、個人番号（消費者甲の個人番号）、条件発信番号を得、当該購入検討番号と一致する購入検討番号を持つE-１購入検討番号レコードから、商品・サービス分類コード、商品・サービス名、対外表示個人番号を得、それらデータをＴ-１商品情報入力データにＴ-１入力レコードを生成追加した上で、項目名が一致する同一項目名の項目のデータとして生成追加した当該Ｔ-１入力レコードに格納する（図２１（a））。
【０１１１】
（ステップＳ１１４：既に商品情報を提供したことがある案件への商品情報を格納）
第２情報登録装置２１の検索情報格納処理部２３−１６は、F-1当該商品情報（他の消費者による入力情報）にＦ-１商品情報番号レコードを新規に生成追加する。次いで、対外表示他の消費者個人番号（ユニークな番号）、商品情報登録日時および商品情報番号（ユニークな番号）を生成するとともに、当該購入検討番号を持つＴ-１商品情報入力データのＴ-１入力レコードから、個人番号、当該商品情報登録日時、条件発信番号、質問・コメント、商品・サービス条件、購入条件、添付ファイルを得て、項目名が一致する同一項目名の項目のデータとして当該の生成追加したレコードに格納する。次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１１１へ遷移する。
【０１１２】
（ステップＳ１１６）
消費者甲からの通知を受けて提供者（事業所）が商品情報を提供しようとするときの最初の対応（スタート）である。
【０１１３】
図２４は提供者（事業所）が提供した商品・サービスに関わる情報のデータベースの例示である。図２４のＦ-２当該商品情報（提供者（事業所）による入力情報）は他の消費者が提供した商品・サービスに関わる情報のデータベースの例示である。図２４において、購入検討番号、個人番号（消費者甲）、対外表示事業所番号、事業所番号、メールアドレス（事業所）、商品・サービス分類コード、商品・サービス名、商品情報番号の数をＦ-２購入検討番号レコードとし、商品情報番号、購入検討番号、商品情報登録日時、条件発信番号、質問・コメント、商品・サービス条件、購入条件、添付ファイル、評価完了フラグ、提案・見積対象評価結果登録日時、提案・見積対象評価結果、選択完了フラグ、交渉対象選択結果登録日時、交渉対象選択結果、交渉対象選択コメントをＦ-２商品情報番号レコードとする。
【０１１４】
以下に、図２３を参照して、ステップＳ１１６からの処理について説明する。ステップＳ１１６から、ステップＳ１１８-１に進む。
（ステップＳ１１８-１）
ステップＳ１１８-１において、第２情報登録装置２１の他の消費者閲覧表示制御部２３−１３は、閲覧・入力対象範囲が「すべての購入検討番号」か、「それまでに情報提供した購入検討番号に限定」か選択するよう、売り手端末５の表示部３ａに表示させる。また、Ｔ-７作業ファイルのＴ-７表示購入検討情報リストレコード（図２１(ｆ)）をゼロクリヤーする。
【０１１５】
（ステップＳ１１８-２） 
次いで、ステップＳ１１８-２において第２情報登録装置２１の他の消費者入力受付部２３−１４は入力されたデータを閲覧・入力対象範囲選択結果として取り込む。閲覧・入力対象範囲選択結果が「すべての購入検討番号」」のときにはステップＳ１１９へ、「それまでに情報提供した購入検討番号に限定」のときにはステップＳ１２８へ、処理を進める。
【０１１６】
（ステップＳ１１９：商品情報入力画面の表示）
ステップＳ１１９においては、第２情報登録装置２１の他の消費者閲覧表示制御部２３−１３は、Ｅ-１購入検討番号一覧（個人番号別、図２０（ａ））、Ｅ-２購入条件データ（個人番号・購入検討番号別）（図２０（ｂ））から、項目名「表示可・不可コード」の項目のデータ＝１を持つすべてのＥ-１購入検討番号レコード、Ｅ-２購入検討番号レコードおよびＥ-２条件発信番号レコードを抽出する。抽出したＥ-２条件発信番号レコードからＴ-７表示購入検討情報リストレコードに格納されている条件発信番号を持つレコードを除外処理した上で、除外処理後のＥ-２条件発信番号レコードの有無を確認する。「無」のときは、たとえば「該当のデータはありません」と表示し、ステップＳ１２９へ遷移する。「有」のときは、除外処理後の当該Ｅ-２条件発信番号レコードの購入検討番号をＫＥＹに当該購入検討番号と一致する購入検討番号を持つレコードを抽出するという条件で上記Ｅ-１購入検討番号レコード、Ｅ-２購入検討番号レコードを検索する。抽出後の２レコード（Ｅ-１購入検討番号レコード、Ｅ-２購入検討番号レコード）と除外処理後の当該Ｅ-２条件発信番号レコードの３つのレコードを、購入検討番号を第１のレベルのＫＥＹ、条件発信番号を第２のレベルのＫＥＹとして並び替えた上で表示用に編集を行い売り手端末５に表示させる（図３９）。
【０１１７】
（ステップＳ１２０：提供者（事業所）による商品情報入力画面の入力）
ステップＳ１２０において、提供者（事業所）は、売り手端末５を用いて、表示されている購入検討情報一覧表から入力するための購入検討情報（たとえば図３９の表の行）を選び、選択操作（たとえば図３９の表の行の右端の「選択」ボタンをクリック）する。また、商品情報入力終了のときは終了を入力する（たとえば図３５の終了ボタンをクリックする）。
【０１１８】
（ステップＳ１２０−１：終了か否かの判定）
ステップＳ１２０−１において、第２情報登録装置２１の他の消費者入力受付部２３−１４は、入力が終了のときはステップＳ１２９へ進む。終了でないときは、ステップＳ１２１へ進む。
【０１１９】
（ステップＳ１２１：入力の取り込み）
ステップＳ１２１において、第２情報登録装置２１の他の消費者入力受付部２３−１４は、入力画面に従って選択操作入力データを購入検討情報（たとえば図３９の表の行）から項目名「購入検討番号」、「条件登録日時」の項目のデータを取り込み、購入検討番号、条件登録日時のデータとする。次いで、当該購入検討番号と一致する購入検討番号を持つE-1購入検討番号レコード、E-2購入検討番号レコードおよびE-2条件発信番号レコードを抽出し、表示用に編集を行い、入力画面（図４０参照）を売り手端末５に表示させる。
提供者（事業所）は、売り手端末５を用いて入力し、入力後内容確認操作をする。
【０１２０】
第２情報登録装置２１の他の消費者入力受付部２３−１４は、入力されたデータを入力項目に従い、項目名「質問・コメント」「商品・サービス条件」「購入条件」「添付ファイル」の項目のデータとして取り込み、質問・コメント、商品・サービス条件、購入条件、添付ファイルのデータとし、さらに当該条件登録日時と一致する条件登録日時を持つE-2条件発信番号レコードから個人番号（消費者甲の個人番号）、条件発信番号を得、当該購入検討番号と一致する購入検討番号を持つE-１購入検討番号レコードから、商品・サービス分類コード、商品・サービス名、対外表示個人番号を得、それらデータをＴ-１商品情報入力データにＴ-１入力レコードを生成追加した上で、項目名が一致する同一項目名の項目のデータとして生成追加した当該Ｔ-１入力レコードに格納する。
【０１２１】
（ステップＳ１２２：入力データから購入検討番号の抽出処理）
ステップＳ１２２において、第２情報登録装置は、当該購入検討番号と一致する購入検討番号を持つレコードを抽出するという条件で購入検討番号をＫＥＹにＦ-２当該商品情報（提供者（事業所）による入力情報）のＦ-２購入検討番号レコードを検索する。
【０１２２】
（ステップＳ１２３：商品情報の格納その１）
ステップＳ１２３において、当該購入検討番号と一致する購入検討番号を持つレコードが抽出されない場合は、提供者（事業所）にとって当該購入検討番号の案件に対して初めての商品情報提供であることからステップＳ１２４へ進む。当該購入検討番号を持つレコードが抽出された場合は既に商品情報を提供したことがある案件であるからステップＳ１２５へ進む。
【０１２３】
（ステップＳ１２４：商品情報提供が初めての場合の商品情報データの格納）
第２情報登録装置２１の検索情報格納処理部２３−１６は、Ｆ-２当該商品情報（提供者（事業所）による入力情報）にＦ-２購入検討番号レコードおよびＦ-２商品情報番号レコードを新規に生成追加する。次いで対外表示事業所番号（ユニークな番号）、商品情報登録日時および商品情報番号（ユニークな番号）を生成するとともに、当該購入検討番号と一致する購入検討番号を持つＴ-１商品情報入力データのＴ-１入力レコードから、個人番号、当該商品情報登録日時、条件発信番号、質問・コメント、商品・サービス条件、購入条件、添付ファイルの項目のデータを得て、それらデータを項目名が一致する同一項目名の項目のデータとして生成追加した当該両レコード（Ｆ-２購入検討番号レコードおよびＦ-２商品情報番号レコード）に格納する。また、個人番号、ステップＳ９８で得られているログイン事業所番号、メールアドレスを当該Ｆ-２購入検討番号レコードの項目名「項目名個人番号（消費者甲）」、項目名「事業所番号」、項目名「メールアドレス（他の消費者）」の項目のデータとしてそれぞれ格納する。
【０１２４】
さらに、Ｃ-6提供者（事業所）テーブルに新規のＣ-6事業所購入検討番号レコード（図６（ｂ））を生成追加し、対外表示事業所番号、当該購入検討番号、ログイン個人番号をそれぞれ追加された当該Ｃ-6事業所購入検討番号レコードレコードの項目名「対外表示事業所番号」、項目名「購入検討番号」、項目名「事業所番号」の項目のデータとして格納する。次いで次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１１９へ進む。
【０１２５】
（ステップＳ１２５：既に商品情報を提供したことがある案件への商品情報を格納）
第２情報登録装置２１の検索情報格納処理部２３−１６は、Ｆ-２当該商品情報（提供者（事業所）による入力情報）にＦ-２商品情報番号レコードを新規に生成追加する。次いで、対外表示他の消費者個人番号（ユニークな番号）、商品情報登録日時および商品情報番号（ユニークな番号）を生成するとともに、当該購入検討番号と一致する購入検討番号を持つＴ-１商品情報入力データのＴ-１入力レコード（ステップＳ１２１で作成）から、個人番号、当該商品情報登録日時、条件発信番号、質問・コメント、商品・サービス条件、購入条件、添付ファイルを得て、項目名が一致する同一項目名の項目のデータとして生成追加した当該Ｆ-２商品情報番号レコードに格納する。次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１１９に進む。
【０１２６】
一方、ステップＳ１１８−２において、閲覧・入力対象がそれまでに情報提供した購入検討番号に限定される場合には、ステップＳ１２８に進む。
【０１２７】
（ステップＳ１２８：「それまでに情報提供した購入検討番号に限定」のときの入力）
ステップＳ１２８においての他の消費者閲覧表示制御部２３-１３は、ログイン事業所番号と一致する事業所番号もつＦ-２商品情報番号レコード（過去情報提供レコードという）を得る。次いで、当該過去情報提供レコードのすべてのレコードについて購入検討番号をＫＥＹに当該購入検討番号と一致する購入検討番号を持つE-1購入検討番号レコード、E-2購入検討番号レコード、E-2条件発信番号レコードを抽出し、またE-2条件発信番号レコードにつては項目名「表示可・不可コード」の項目のデータ=1を持つE-2条件発信番号レコードを抽出し（絞り込み）、抽出した（絞り込んだ）Ｅ-２条件発信番号レコードからＴ-７表示購入検討情報リストレコードに格納されている条件発信番号を持つレコードを除外処理した上で、除外処理後のＥ-２条件発信番号レコードの有無を確認する。「無」のときは、たとえば「該当のデータはありません」と表示し、ステップＳ１２９へ遷移する。「有」のときは、除外処理後の当該Ｅ-２条件発信番号レコードの購入検討番号をＫＥＹに当該購入検討番号と一致する購入検討番号を持つレコードを抽出するという条件で上記Ｅ-１購入検討番号レコード、Ｅ-２購入検討番号レコードを検索抽出する。抽出後の２レコード（Ｅ-１購入検討番号レコード、Ｅ-２購入検討番号レコード）と除外処理後の当該Ｅ-２条件発信番号レコードの３つのレコードを、購入検討番号を第１のレベルのＫＥＹ、条件発信番号を第２のレベルのＫＥＹとして並び替えた上で表示用に編集を行い、売り手端末５に表示させる（図４１）。
【０１２８】
（ステップＳ１２８−１：提供者（事業所）による商品情報入力画面の入力）
ステップＳ１２８−１において、提供者（事業所）は、売り手端末５を用いて、表示されている購入検討情報一覧表から提供する購入検討情報（たとえば図４１の表の行）を選び、選択操作（例えば「選択」（たとえば図４１の表の行の右端のボタンをクリック）をする。また、商品情報入力終了のときは終了を入力する（たとえば図３５の終了ボタンをクリックする）。
【０１２９】
（ステップＳ１２８−２：終了か否かの判定）
ステップＳ１２８−２において、第２情報登録装置２１の他の消費者入力受付部２３−１４は、入力が終了のときはステップＳ１２９へ進む。終了でないときは、ステップＳ１３０へ進む。
【０１３０】
（ステップＳ１３０：入力の取り込み）
第２情報登録装置２１の他の消費者入力受付部２３−１４は、入力画面に従って選択操作入力データを購入検討情報（たとえば図３７の表の行）から項目名「購入検討番号」、「条件登録日時」の項目のデータを取り込み、夫々購入検討番号、条件登録日時のデータとする。
【０１３１】
当該購入検討番号と一致する購入検討番号を持つE-1購入検討番号レコード、E-2購入検討番号レコードおよびE-2条件発信番号レコードを抽出し表示用に編集を行い、入力画面（図４０参照）を売り手端末５に表示させる。
【０１３２】
提供者（事業所）は、売り手端末５を用いて入力し、入力後内容確認操作をする。３）他の消費者入力受付部２３−１４は、入力されたデータを入力項目に従い、項目名「質問・コメント」「商品・サービス条件」「購入条件」「添付ファイル」の項目のデータとして取り込む。取り込んだデータから質問・コメント、商品・サービス条件、購入条件、添付ファイルのデータとする。さらに当該条件登録日時と一致する条件登録日時持つＥ-２購入検討条件データのE-2条件発信番号レコードを検索し、個人番号（消費者甲の個人番号）、条件発信番号を得、当該購入検討番号と一致する購入検討番号を持つE-１購入検討番号レコードから、商品・サービス分類コード、商品・サービス名、対外表示個人番号を得、それらデータをＴ-１商品情報入力データにＴ-１入力レコードを生成追加した上で、項目名が一致する同一項目名の項目のデータとして生成追加した当該Ｔ-１入力レコードに格納する。
【０１３３】
（ステップＳ１３０−１：既に商品情報を提供したことがある案件への商品情報を格納）
第２情報登録装置２１の検索情報格納処理部２３−１６は、Ｆ-２当該商品情報（提供者（事業所）による入力情報）にＦ-２商品情報番号レコードを新規に生成追加する。次いで、対外表示事業所番号（ユニークな番号）、商品情報登録日時および商品情報番号を生成するとともに、当該購入検討番号を持つＴ-１商品情報入力データのＴ-１入力レコードから、個人番号、当該商品情報登録日時、条件発信番号、質問・コメント、商品・サービス条件、購入条件、添付ファイルを得て、項目名が一致する同一項目名の項目のデータとして生成追加した当該Ｆ-２商品情報番号レコードに格納する。次いで、Ｔ-７作業ファイルにＴ-７表示購入検討情報リストレコードを生成追加し、生成追加した当該Ｔ-７表示購入検討情報リストレコードに当該条件発信番号を格納する。
ステップＳ１２８へ進む。
【０１３４】
（ステップＳ１２９）
ステップＳ１２９は提供者（事業所）が消費者甲からの通知を受けて情報を得るため、あるいは商品情報を提供しようとするときの最初の対応（スタート）である。
【０１３５】
（ステップＳ１３１：他の消費者が商品情報登録したことを消費者甲へ通知）
次いで、図１９のステップＳ１１６から、図２５に示すように、ステップＳ１３１において、第２情報登録装置２１のメール通知部２３−１８は、Ｔ-７作業ファイルのＴ-７表示購入検討情報リストレコードのすべての条件発信番号について、順次条件発信番号を定め、当該条件発信番号と一致する条件発信番号を持つＥ−２購入検討条件データのＥ-２条件発信番号レコードから個人番号を得、さらに当該個人番号と一致する個人番号を持つＣ-２消費者基本レコードからメールアドレス（消費者甲のメールアドレス）を得る。このメールアドレスを用いて商品情報登録が行われたことを消費者甲へメールで通知する。以上の処理をすべてのＴ-７表示購入検討情報リストレコードの条件発信番号について行う。
【０１３６】
（ステップＳ１３２：提供者（事業所）が商品情報登録したことを消費者甲へ通知）
図２３のステップＳ１２９から、図２５のステップＳ１３２において、第２情報登録装置２１のメール通知部２３−１８は、Ｔ-７作業ファイルのＴ-７表示購入検討情報リストレコードのすべての購入検討番号について、順次条件発信番号を定め、当該条件発信番号と一致する条件発信番号を持つＥ−２購入検討条件データのＥ-２条件発信番号レコードから個人番号を得、さらに当該個人番号と一致する個人番号を持つＣ-２消費者基本レコードからメールアドレス（消費者甲のメールアドレス）を得る。このメールアドレスを用いて商品情報登録が行われたことを消費者甲へメールで通知する。以上の処理をすべてのＴ-７表示購入検討情報リストレコードの条件発信番号について行う。
【０１３７】
以上の処理により、売り手および他の消費者が、購入検討商品情報をもとに当該商品・サービスに関する情報（以下、「当該商品情報」という。）を、売り手端末５に提供する処理が終了する。
【０１３８】
（ステップＳ１４１：消費者甲が登録された商品情報をみて評価あるいは決定を開始）
６）消費者甲端末１が、第２情報登録装置２１にログインし、評価絞り込み処理部２３−２１が評価（絞り込み）を行う処理
図１Ｈは、処理部（２）２３の一構成例を示す機能ブロック図である。
図２６は、消費者甲端末１が、第２情報登録装置２１にログインし、評価（絞り込み）を行う処理の流れを示すフローチャート図である。処理が開始される（スタート：ステップＳ１４１）。
（ステップＳ１４２）
ステップＳ１４２において、消費者甲が消費者甲端末１を用い、第２情報登録装置２１にログインＩＤ・パスワードでログインする。
【０１３９】
（ステップＳ１４３：個人番号の抽出）
ステップＳ１４３において、第２情報登録装置２１の個人番号検索部、購入検討番号一覧検索部２１−１は、ログインされたＩＤ・パスワードを取り込み、当該ログインＩＤ、パスワードと一致するログインＩＤ、パスワードを持つＣ-２消費者テーブル（図６）のＣ-２消費者基本レコードを検索・抽出し、該当レコードから個人番号（ログイン個人番号という）を得る。検索の結果、該当のレコードが抽出できないときは、たとえば「ログインＩＤ、パスワードが異なっています」というメッセージを表示し、ステップＳ１４２に戻る。
【０１４０】
（ステップＳ１４４：消費者甲への商品情報を一つのファイルにまとめる）
ステップＳ１４４おいて、第２情報登録装置２１は、他の消費者と提供者（事業所）から提供された当該消費者甲への商品情報を一つの作業ファイル（図２７：Ｔ-４作業ファイル）にまとめる。
【０１４１】
図２７に示すようにＴ-４作業ファイルは、商品情報番号、商品情報提供者種類、商品情報登録日時、購入検討番号、商品・サービス分類コード、商品・サービス名、検討フェーズコード、条件発信番号、個人番号（消費者甲）、対外表示事業所番号、メールアドレス、質問・コメント、商品・サービス条件、購入条件、添付ファイル、評価完了フラグ、提案・見積対象評価結果登録日時、提案・見積対象評価結果、選択完了フラグ、交渉対象選択結果登録日時、交渉対象選択結果、交渉対象選択コメントをＴ-４登録商品情報レコードとしている。
【０１４２】
第２情報登録装置２１の当該商品等情報検索処理部２３−１５は、まず他の消費者から提供された商品情報をＦ-１当該商品情報（他の消費者による入力情報）から抽出してＴ-４作業ファイルのＴ-４登録商品情報レコードに格納する。すなわち、次の１）、２）の処理を行う。
【０１４３】
１）ログイン個人番号と一致する個人番号を持つＦ-１当該商品情報（他の消費者による入力情報）のＦ-１購入検討番号レコードを検索抽出する。このとき、検索の結果、該当のレコードが得られないときはステップＳ１４５へ遷移する。得られたときは、抽出したすべてのＦ-１購入検討番号レコードからの購入検討番号を得、得られた購入検討番号すべてをＴ-３作業ファイルのＴ-３購入検討番号リストレコードに格納する。
【０１４４】
２）１）で得られたＴ-３購入検討番号リストレコードのすべての購入検討番号について、順次購入検討番号を設定し、まるＡの処理を行う。まるＡ当該購入検討番号と一致する購入検討番号を持つＦ-１商品情報番号レコードをすべて抽出する（当該Ｆ-１商品情報番号レコード）。さらに当該Ｆ-１商品情報番号レコードのすべてのレコードについて、レコード毎に次の処理を行う。Ｔ-４作業ファイルにＴ-４登録商品情報レコードを生成追加し、Ｆ-１商品情報番号レコードのデータすべてについて、項目名が一致する同一項目名の項目の場合当該項目名の項目のデータとして生成追加されたＴ-４登録商品情報レコードに格納する。また、当該購入検討番号と一致する購入検討番号を持つＦ-１購入検討番号レコードからメールアドレス（他の消費者）を得る。メールアドレス（他の消費者）のデータを当該Ｔ-４登録商品情報レコードの項目名「メールアドレス」の項目のデータとして格納する。
【０１４５】
Ｔ-４登録商品情報レコードの商品情報提供者種類を１とする。
以上により、他の消費者からの商品情報が作業ファイルに格納される。
【０１４６】
（ステップＳ１４５：消費者甲への商品情報を一つのファイルにまとめる（２））
次に提供者（事業所）から提供された商品情報について同様に処理を行う。すなわち、次の１）、２）の処理を行う。
【０１４７】
１）ログイン個人番号と一致する個人番号を持つＦ-２当該商品情報（他の消費者による入力情報）のＦ-２購入検討番号レコードを抽出し、抽出したＦ-２購入検討番号レコードからの購入検討番号を得、得られた購入検討番号すべてをＴ-３作業ファイルのＴ-３購入検討番号リストレコードに格納する。
【０１４８】
２）１）で得られたＴ-３購入検討番号リストレコードのすべての購入検討番号について、順次購入検討番号を設定し、まるＢの処理を行う。まるＢ当該購入検討番号と一致する購入検討番号を持つＦ-２商品情報番号レコードをすべて抽出する（当該Ｆ-２商品情報番号レコード）。さらに当該Ｆ-２商品情報番号レコードのすべてのレコードについて、レコード毎に次の処理を行う。Ｔ-４作業ファイルにＴ-４登録商品情報レコードを生成追加し、Ｆ-２商品情報番号レコードのデータすべてについて、項目名が一致する同一項目名の項目の場合当該項目のデータとして生成追加されたＴ-４登録商品情報レコードに格納する。また、当該購入検討番号と一致する購入検討番号を持つＦ-２購入検討番号レコードからメールアドレス（事業所）を得る。メールアドレス（他の消費者）のデータを当該Ｔ-４登録商品情報レコードの項目名「メールアドレス」の項目のデータとして格納する。
【０１４９】
Ｔ-４登録商品情報レコードの商品情報提供者種類を２とする。
以上により、提供者（事業所）からの商品情報が作業ファイルに格納される。
【０１５０】
図２８は、評価・選択表示の流れを示すフローチャート図である。
（ステップＳ１５２：表示準備）
次いで、ステップＳ１５１の評価・選択表示処理として、ステップＳ１５２において
Ｔ-４作業ファイルを基に表示を行う。
【０１５１】
第２情報登録装置２１はＴ-４作業ファイルのＴ-４登録商品情報レコードの並び替えを行う。第２情報登録装置２１の当該商品等情報検索処理部２３−１５は、Ｔ-４作業ファイルのＴ-４登録商品情報レコードについて、購入検討番号を第１のレベル、条件発信番号を第２のレベル、商品情報番号を第３のレベルとして並び替える。
【０１５２】
（ステップＳ１５３：表示、消費者甲の閲覧と操作）
図２１（d）に示すようにＴ-５作業ファイルは、商品情報番号、対外表示事業所番号、メールアドレス（事業所）、表示用個人番号、購入検討番号、商品・サービス分類コード、商品・サービス名、提案見積対象評価結果、交渉対象選択結果、評価・選択者コメント、入力後選択、評価完了フラグ、選択完了フラグをＴ-５選択評価レコードとしている。
【０１５３】
図４４は、データの項目と、消費者甲の入力操作と第２情報登録装置２１の取り込み処理の関係をまとめた表である。また、消費者甲による評価・選択の入力と取り込み処理例示であり、入力と取り込み処理の対応関係の例示でもある。
【０１５４】
項目「提案見積対象評価結果」：入力操作は、たとえば図４６の提案見積対象評価欄へのチェック→取り込み処理は、チェックありのとき１（＝評価する）、チェックなしのとき０（＝評価なし）
項目「選択交渉対象選択結果」：入力操作は、たとえば図４６の交渉先選択欄へのチェック→取り込み処理は、チェックありのとき１（＝選択する）、チェックなしのとき０（＝選択なし）
項目「評価・選択者コメント」：入力操作は、たとえば、図４６の評価・選択者コメントへのテキスト入力→取り込み処理は、入力されたテキストデータ
項目「入力後選択」：入力操作は、たとえば、図４６の 「選択確定」（＝交渉先事業者として決定する）をクリックするか、「評価確定」（＝提案・見積依頼先として決定する）をクリックするか、「検討フェーズを情報収集に戻す」をクリックするか、「次へ」（＝選択確定あるいは評価確定など行わないで次回以降に持ち越しかのいずれかの選択）をクリックするか、である。
これらについて、入力操作については総称して入力操作Ａといい、取り込み処理については総称して取り込み処理Ａという。
【０１５５】
本ステップにおける第２情報登録装置２１の他の消費者閲覧表示制御部２３−１３による表示処理は、並び替えられた当該Ｔ-４作業ファイルのＴ-４登録商品情報レコードを用いてレコード順に編集し消費者甲端末１表示させる。
【０１５６】
第２情報登録装置２１の他の消費者閲覧表示制御部２３−１３は、まず新規表示ページ生成した上で購入検討番号・商品情報一覧（図４５）のデータ編集を行い、消費者甲端末１に表示させる。消費者甲はそれを閲覧し、評価選択対象（たとえば、図４５の表の行）を選択し（たとえば、図４５の評価選択へのチェック）を行い、入力後確認操作を行う。第２情報登録装置２１の他の消費者入力受付部２３−１４は、入力画面に従い入力データを評価選択対象（たとえば、図４５の表の行）毎に取り込み、取り込んだデータから購入検討番号を抽出し、すべての購入検討番号をＴ-３作業ファイルのＴ-３購入検討番号リストレコードに格納する。また購入検討番号の数を計数し、計数結果をＮＫとし、Ｎ＝０とする。
【０１５７】
（ステップＳ１５４）
次に評価・選択の結果データを取り込む。Ｎ＝Ｎ+１とする。Ｔ-３作業ファイルのＴ-３購入検討番号リストレコードのＮ番目の購入検討番号を抽出し（当該購入検討番号という）、当該購入検討番号について順次、１）、２）、３）の処理を行う。
【０１５８】
１）新規表示ページ（表示編集用ページ）を生成した上で、当該購入検討番号と一致する購入検討番号を持つＴ-４作業ファイルのＴ-４登録商品情報レコードを抽出し、当該レコードのデータを編集し評価・選択のための表示を消費者甲端末１にする（たとえば、図４６）。
【０１５９】
２）消費者甲は表示された内容を閲覧し入力操作Ａにより評価・選択を入力する。
【０１６０】
３）第２情報登録装置２１の他の消費者入力受付部２３−１４は、入力データを取り込む。取り込んだデータについて、入力画面に従って取り込み処理Ａを行い、項目名「商品情報番号」、「提案見積対象評価結果」、「交渉対象選択結果」、「評価・選択者コメント」、「入力後選択」の項目のデータを取り込み、夫々商品情報番号、提案見積対象評価結果、交渉対象選択結果、評価・選択者コメント、入力後選択のデータとする。Ｔ-５作業ファイルにＴ-５選択評価レコードを生成追加した上で、これらデータを、追加・生成されたレコードに項目名が一致する同一項目名の項目のデータとして格納する。さらに当該商品情報番号と一致する商品情報番号を持つＴ-４登録商品情報レコードから対外表示事業所番号、メールアドレス（事業所）、表示用個人番号、購入検討番号、商品・サービス分類コード、商品・サービス名を得る。これらデータを、生成追加された当該Ｔ-５選択評価レコードに項目名が一致する同一項目名の項目のデータとして格納する。
【０１６１】
ステップＳ１５５およびステップＳ１５５-１：入力後選択（確定かどうかなど）対応
ステップＳ１５５とＳ１５５-１において第２情報登録装置２１の検索情報格納処理部２３−１６は入力後選択への対応をおこなう。
【０１６２】
入力後選択＝“次へ”のときはステップＳ１５９へ遷移する。
入力後選択＝“評価確定”のときはステップＳ１５６へ遷移する。
入力後選択＝“選択確定”のときはステップＳ１５７へ遷移する。
入力後選択＝““検討フェーズを情報収集に戻す””のときはステップＳ１５８へ遷移する。
【０１６３】
（ステップＳ１５６）
ステップＳ１５６において、当該購入検討番号と一致する購入検討番号を持つＥ-1購入検討番号一覧（個人番号別）のE-1購入検討番号レコードすべてについて、項目名「検討フェーズコード（図８（b））」の項目のデータを“提供者選択準備フェーズ”とする。当該購入検討番号と一致する購入検討番号を持つＦ-１当該商品情報（他の消費者による入力情報）のＦ-1商品情報番号レコードとＦ-２当該商品情報（提供者（事業所）による入力情報）Ｆ-2商品情報番号レコードすべてについて、項目名「評価完了フラグ」（図１４）の項目のデータを１とする。ステップＳ１５９へ遷移する。
【０１６４】
（ステップＳ１５７）
ステップＳ１５７において、当該購入検討番号と一致する購入検討番号を持つＥ-1購入検討番号一覧（個人番号別）のE-1購入検討番号レコードすべてについて、項目名「検討フェーズコード」の項目のデータを“提供者絞り込み完了”とする。当該購入検討番号と一致する購入検討番号を持つＦ-１当該商品情報（他の消費者による入力情報）のＦ-1商品情報番号レコードとＦ-２当該商品情報（提供者（事業所）による入力情報）Ｆ-2商品情報番号レコードすべてについて、項目名「選択完了フラグ」（図１４）の項目のデータを１とする。ステップＳ１５９へ遷移する。
【０１６５】
（ステップＳ１５８）
ステップＳ１５８において、当該購入検討番号と一致する購入検討番号を持つＥ-1購入検討番号一覧（個人番号別）のE-1購入検討番号レコードすべてについて、項目名「検討フェーズコード」の項目のデータを“再情報収集フェーズ”とし、また当該購入検討番号と一致する購入検討番号を持つＦ-１当該商品情報（他の消費者による入力情報）（個人番号別）のＦ-1商品情報番号レコードとＦ-２当該商品情報（提供者（事業所）による入力情報）Ｆ-2商品情報番号レコードを検索し当該購入検討番号を持つレコードすべてについて項目名「評価完了フラグ」の項目のデータを５とする。
ステップＳ１５９へ遷移する。
【０１６６】
ステップＳ１５９
ステップＳ１５９において、評価・選択の結果の取り込みがすべての購入検討番号に対して行われたのか検討する。ステップＮＫ＞Ｎのときは、ステップＳ１５４へもどり、ＮＫ≦Ｎのときは、ステップＳ１６０へ遷移する。
【０１６７】
（ステップＳ１６０：入力結果を作業ファイルから正式ファイルへ格納）
ステップＳ１６０においてＴ-４作業ファイルのＴ-４登録商品情報レコードに格納されているデータをF-1当該商品情報（他の消費者による入力情報）、F-2当該商品情報（提供者（事業所）による入力情報）に格納する。
【０１６８】
第２情報登録装置２１の検索情報格納処理部２３−１６は、Ｔ-４作業ファイルのＴ-４登録商品情報レコードのすべてのレコードについて、商品情報番号をＫＥＹにしてレコード毎に次の１）、２）を行う。
【０１６９】
１）Ｔ-４登録商品情報レコードを順次定める。
２）当該Ｔ-４登録商品情報レコードからデータを抽出する（抽出データという）とともに、Ｆ-１当該商品情報（他の消費者による入力情報）にＦ-1商品情報番号レコードを、Ｆ-２当該商品情報（提供者（事業所）による入力情報）にＦ-2商品情報番号レコードを生成追加し、追加された両レコードに対し抽出データを項目名が一致する同一項目名の項目のデータとして格納する。
ステップＳ１７０へ遷移する。
【０１７０】
図２９は、評価・選択結果を他の消費者、提供者（事業所）へ連絡の処理フローチャート図である。
【０１７１】
（ステップＳ１７０：処理の開始）
（ステップＳ１７１：連絡処理の準備）
ステップＳ１７１において第２情報登録装置２１のメール通知部２３−１８は、Ｔ-４作業ファイルを用いて、商品情報提供者（他の消費者、提供者（事業所））に評価・選択結果を知らせる。Ｔ-４作業ファイルのＴ-４登録商品情報レコードから商品情報番号を抽出し、商品情報番号の数（＝レコードの数）を計数し、計数結果をＮＳとするとともにすべての商品情報番号をＴ-６作業ファイルのＴ-６商品情報番号レコードに格納する。Ｎ＝０とする。
【０１７２】
（ステップＳ１７２：連絡処理の準備（２））
ステップＳ１７２において、メール通知部２３−１８は、Ｎ＝Ｎ+１とし、Ｔ-６作業ファイルのＴ-６商品情報番号レコードのＮ番目の商品情報番号を得、当該商品情報番号と一致する商品情報番号を持つＴ-４作業ファイルのＴ-４登録商品情報レコード（当該Ｔ-４登録商品情報レコードという）を得る。
【０１７３】
（ステップＳ１７３：連絡処理）
ステップＳ１７３において、メール通知部２３−１８は、当該Ｔ-４登録商品情報レコードの検討フェーズコードが“情報収集フェーズ”あるいは“再情報収集フェーズ”のときはステップＳ１７４へ進む。検討フェーズコードが“提供者選択準備フェーズ”のときはステップＳ１８０へ進む。
【０１７４】
（ステップＳ１７４： 当該商品情報について評価確定が行われたのか？）
ステップＳ１７４において、メール通知部２３−１８は、当該Ｔ-４登録商品情報レコードの評価完了フラグが１以外（≠１）のときは、評価確定が行われていないので、ステップＳ１８６へ進む。評価完了フラグが１のときは、評価確定されているのでステップＳ１７５へ進む。
【０１７５】
（ステップＳ１７５：当該商品情報について評価結果は？）
ステップＳ１７５において、メール通知部２３−１８は、当該Ｔ-４登録商品情報レコードの提案・見積対象評価結果が０のときは、「評価なし」であるのでステップＳ１７７へ進む。提案・見積対象評価結果が１のときは「評価あり」であるのでステップＳ１７６へ進む。
【０１７６】
（ステップＳ１７６：評価結果を通知する先は？）
ステップＳ１７６において、メール通知部２３−１８は、当該Ｔ-４登録商品情報レコードの商品情報提供者種類が１のときは、商品情報提供者が他の消費者であるのでステップＳ１７８へ進む。商品情報提供者種類が２のときは提供者（事業所）であるのでステップＳ１７９へ進む。
【０１７７】
（ステップＳ１７７：協力へのお礼のメールを出す（他の消費者へ））
ステップＳ１７７において、メール通知部２３−１８は、当該Ｔ-４登録商品情報レコードからメールアドレスを得、当該メールアドレスを用いて、たとえば「協力へのお礼と情報収集フェーズ終了」を趣旨とするメールを送出する。当該商品情報レコードの評価完了フラグを２とし、その後ステップＳ１８６へ遷移する。
【０１７８】
（ステップＳ１７８：評価確定のお礼のメールを出す（他の消費者へ））
ステップＳ１７８において、メール通知部２３−１８は、当該Ｔ-４登録商品情報レコードからメールアドレスを得、当該メールアドレスを用いて、たとえば「感謝、高評価と情報収集フェーズ終了」を趣旨とするメールを送出する。当該Ｔ-４登録商品情報レコードの評価完了フラグを２とし、その後ステップＳ１８６へ遷移する。
【０１７９】
（ステップＳ１７９：評価確定のお礼のメールを出す（提供者（事業所）へ））
ステップＳ１７９において、メール通知部２３−１８は、当該Ｔ-４登録商品情報レコードからメールアドレスを得、当該メールアドレスを用いて、たとえば「感謝、高評価、見積・提案事業者採択と情報収集フェーズ終了」を趣旨とするメールを送出する。当該商品情報レコードの評価完了フラグを２とし、その後ステップＳ１８６へ遷移する。
【０１８０】
（ステップＳ１８０： 当該商品情報について選択確定が行われたのか？）
ステップＳ１８０において、メール通知部２３−１８は、当該Ｔ-４登録商品情報レコードの選択完了フラグが５のときはステップＳ１８１へ進む。選択完了フラグが１のときは、選択確定されているのでステップＳ１８２へ進む。選択完了フラグが５でもなく、１でもないときは、選択確定が行われていないので、ステップＳ１８６へ進む。
【０１８１】
（ステップＳ１８１：協力へのお礼のメールを出す（提供者（事業所）へ））
ステップＳ１８１において、メール通知部２３−１８は、当該Ｔ-４登録商品情報レコードからメールアドレスを得、当該メールアドレスを用いて、たとえば「協力へのお礼と検討フェーズを再情報収集フェーズに変更する」を趣旨とするメールを送出する。
【０１８２】
（ステップＳ１８２）
ステップＳ１８２において、メール通知部２３−１８は、当該Ｔ-４登録商品情報レコードの交渉対象選択結果が０のときは、「採択なし」であるのでステップＳ１８３へ進む。交渉対象選択結果が１のときは「採択あり」であるのでステップＳ１８４へ進む。
【０１８３】
（ステップＳ１８３：協力へのお礼のメールを出す（提供者（事業所）へ））
ステップＳ１８３において、メール通知部２３−１８は、当該Ｔ-４登録商品情報レコードからメールアドレスを得、当該メールアドレスを用いて、たとえば「交渉対象事業者として不採択、協力へのお礼と終了」を趣旨とするメールを送出する。Ｔ-４登録商品情報レコードの選択完了フラグを２とし、その後ステップＳ１８６へ遷移する。
【０１８４】
（ステップＳ１８４：協力へのお礼のメールを出す（提供者（事業所）へ））
ステップＳ１８４において、メール通知部２３−１８は、当該Ｔ-４登録商品情報レコードからメールアドレスを得、当該メールアドレスを用いて、たとえば「交渉対象事業者として採択されました、協力へのお礼と今後の手順のご案内」を趣旨とするメールを送出する。当該Ｔ-４登録商品情報レコードの選択完了フラグを２とし、その後ステップＳ１８６へ遷移する。
【０１８５】
（ステップＳ１８６）
ステップＳ１８６において、メール通知部２３−１８は、評価・選択の結果の連絡がすべての購入検討番号に対して行われたのか検討する。ＮＳ＞Ｎのときは、ステップＳ１７２へもどり、ＮＳ≦Ｎのときは、ステップＳ１８７へ遷移する。
【０１８６】
（ステップＳ１８７）
ステップＳ１８６において、評価・選択の結果の連絡を終了する。
【０１８７】
以上により、他の消費者および提供者（事業所）（売り手）は消費者甲から消費者甲の評価・選択結果の通知を受け、その内容を知ることが出来る。
【０１８８】
提供者（事業所）（売り手）は消費者甲の評価・選択結果によっては消費者甲に対し提案や見積を検討する必要があることから評価・選択結果を閲覧し、確認する必要がある。
【０１８９】
次いで、評価・選択結果を参照する処理について説明する。
図３０は、提供者（事業所）が消費者甲による評価結果を見る処理の流れを示すフローチャート図である。
【０１９０】
（ステップＳ２０１〜Ｓ２０２：ログイン）
ステップＳ２０１において処理を開始し（スタート）、ステップＳ２０２において、第２情報登録装置２１の他の消費者端末、売り手端末ログインID、PW受付部２３−１１は、ログイン画面を表示し、提供者（事業所）は売り手端末５からにログインＩＤ、パスワードを用いてログイン操作を行う。
【０１９１】
（ステップＳ２０３：表示準備（１））
ステップＳ２０３において、他の消費者端末、売り手端末ログインID、PW受付部２３−１１は、入力されたログインID、パスワードを取り込み、取り込んだログインID、パスワードと一致するログインID、パスワードを持つＣ-６提供者（事業所）テーブルのＣ-６提供者（事業所）基本レコードから事業所番号を抽出する。事業所番号を得ることできなかった場合は、たとえば「ID、パスワードが一致しません」と売り手端末５に表示しステップＳ２０２へ戻る。次に、当該事業所番号と一致する事業者所番号を持つＦ-２当該商品情報（提供者（事業所）による入力情報）のＦ-２購入検討番号レコードから購入検討番号をすべて抽出し、Ｔ-３作業ファイルのＴ-３購入検討番号リストレコードに格納するとともに、購入検討番号の数を計数し、計数結果をＮＫとする。Ｎ＝０とする。
【０１９２】
（ステップＳ２０４：表示準備（２））
ステップＳ２０４において、他の消費者閲覧表示制御部２３−１３は、Ｎ＝Ｎ+１とし、Ｔ-３購入検討番号リストレコードからＮ番目の購入検討番号を得、当該購入検討番号と一致する購入検討番号を持つＦ-２当該商品情報（提供者（事業所）による入力情報）のＦ-２購入検討番号レコード（編集用Ｆ-２購入検討番号レコードいう）とＦ-２商品情報番号レコードを得る。さらに、当該Ｆ-２商品情報番号レコードから商品情報番号をすべて抽出して、それらをＴ-６作業ファイルのＴ-６商品情報番号レコードに格納するとともに商品情報番号の数を計数し計数結果をＮＳとする。ＮＳＣ＝０とする。
【０１９３】
（ステップＳ２０５：表示準備（３））
ステップＳ２０５において、他の消費者閲覧表示制御部２３−１３は、ＮＳＣ＝ＮＳＣ+１とし、当該Ｔ-６商品情報番号レコードのＮＳＣ番目の商品情報番号を持つ当該Ｆ-２商品情報番号レコードを得る（編集用Ｆ-２商品情報番号レコードという）。
【０１９４】
（ステップＳ２０６： 当該商品情報について評価確定が行われたのか？）
ステップＳ２０６において、他の消費者閲覧表示制御部２３−１３は、当該商品情報レコードの評価完了フラグが２以外のときは、評価確定（結果通知中）が行われていないので、ステップＳ２０９へ進む。評価完了フラグが２のときは、評価確定（結果通知中）であるのでステップＳ２０８へ進む。
【０１９５】
（ステップＳ２０８：評価確定の表示）
ステップＳ２０８において、第２情報登録装置の他の消費者閲覧表示制御部２３−１３は、提案・見積対象評価結果の表示について、提案・見積対象評価結果＝１のときは、たとえば“○”と、提案・見積対象評価結果＝０のときは、たとえば“×”と表示することとし、編集用Ｆ-２購入検討番号レコードと編集用Ｆ-２商品情報番号レコードからデータを編集し売り手端末５に表示させる（図４２）。編集用Ｆ-２商品情報番号レコードの評価完了フラグを３とする。
【０１９６】
（ステップＳ２０９：当該商品情報について選択確定が行われたのか？）
ステップＳ２０９において、他の消費者閲覧表示制御部２３−１３は、当該商品情報レコードの選択完了フラグが２以外のときは、選択確定が行われていないので、ステップＳ２１２へ進む。選択完了フラグが２のときは、選択確定（結果通知中）であるのでステップＳ２１１へ進む。  
【０１９７】
（ステップＳ２１１：当該商品情報について交渉対象選択結果の表示）
ステップＳ２１１において、他の消費者閲覧表示制御部２３−１３は、交渉対象選択結果＝１の時交渉対象を“○”と表示することとし、＝１の時は“×”と表示することとし、編集用Ｆ-２購入検討番号レコードと編集用Ｆ-２商品情報番号レコードからデータを編集し売り手端末５に表示させる（図４３） 。選択完了フラグ＝３とする。
【０１９８】
（ステップＳ２１２）
ステップＳ２１２において、他の消費者閲覧表示制御部２３−１３は、評価・選択の結果の連絡がすべての商品情報番号に対して行われたのか検討する。ＮＳ＞ＮＳＣのときは、ステップＳ２０５へ戻り、ＮＳ≦ＮＳＣのときは、ステップＳ２１３へ進む。
【０１９９】
（ステップＳ２１３）
ステップＳ２１３において、他の消費者閲覧表示制御部２３−１３は、評価・選択の結果の連絡がすべての購入検討番号に対して行われたのか検討する。ＮＫ＞Ｎのときは、ステップＳ２０４へ戻り、ＮＫ≦Ｎのときは、ステップＳ２１４へ進む。
【０２００】
（ステップＳ２１４）
ステップＳ２１４において、提供者（事業所）が評価結果を参照するための評価・選択の結果の表示を終了する。
【０２０１】
以上のようにして提供者（事業所）は消費者（消費者甲）による評価結果、選択結果を知ることができる。提供者（事業所）はその結果を踏まえ必要に応じさらなる情報提供（提案、見積）に反映させることができる。
【０２０２】
以上に説明したように、本実施の形態によれば、消費者と企業の情報蓄積量の相違、情報の新しさを含めた情報の質の相違に基づく情報の非対称性を解消することができる。また１人の消費者と多数の他企業間で相互に情報収集と情報提供を行う企業との外部情報提供者の数の相違等に起因する情報の収集能力に関する非対称性も解消することができる。
【０２０３】
上記の処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【０２０４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０２０５】
また、本発明の各構成要素は、任意に取捨選択することができ、取捨選択した構成を具備する発明も本発明に含まれるものである。
【０２０６】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０２０７】
また、「コンピュータシステム」は、ＷＷＷシステムを利用している場合であれば、ホームページ提供環境（あるいは表示環境）も含むものとする。
【０２０８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【０２０９】
本発明は、情報収集装置に利用可能である。
【符号の説明】
【０２１０】
Ａ…情報処理システム、１…消費者端末（第１の端末）、１−１…ログインＩＤ、ＰＷ受け取り部、１−２…ログインＩＤ、ＰＷ入力受付部、１ａ…表示部、３…その他消費者端末（第２の端末群）、３ａ…表示部、５…売り手（提供者（事業所））端末(群)、５ａ…表示部、１１…第１情報登録装置（第１情報処理装置）、１３−１−１…新規レコード生成部、２１…第２情報登録装置（第２情報処理装置）、２１−２…購入検討番号一覧表示制御部、２１−１…購入検討番号一覧検索部、２３−５…サービス及びその条件情報検索部、２３−６…購入検討情報登録表示制御部、２３−７…購入検討番号、２３−７…対外表示個人番号生成処理部、２３−８…購入検討条件−データ検索処理部、２３−９…検索結果報知部、３１…第１表示装置、１３…処理部（１）、１３−１…連絡先登録処理部、１３−１−１…新規レコード生成部、１３−１−２新規レコード生成部、２３…処理部（２）、３３…処理部（３）、１５…データベース（１）、２５…データベース（２）、３５…データベース（３）。
【図１Ａ】
0006693638.tif 000002
【図１Ｂ】
0006693638.tif 000003
【図１Ｃ】
0006693638.tif 000004
【図１Ｄ】
0006693638.tif 000005
【図１Ｅ】
0006693638.tif 000006
【図１Ｆ】
0006693638.tif 000007
【図１Ｇ】
0006693638.tif 000008
【図１Ｈ】
0006693638.tif 000009
【図２】
0006693638.tif 000010
【図３】
0006693638.tif 000011
【図４】
0006693638.tif 000012
【図５】
0006693638.tif 000013
【図６】
0006693638.tif 000014
【図７】
0006693638.tif 000015
【図８】
0006693638.tif 000016
【図９】
0006693638.tif 000017
【図１０】
0006693638.tif 000018
【図１１】
0006693638.tif 000019
【図１２】
0006693638.tif 000020
【図１３】
0006693638.tif 000021
【図１４】
0006693638.tif 000022
【図１５】
0006693638.tif 000023
【図１６】
0006693638.tif 000024
【図１７】
0006693638.tif 000025
【図１８】
0006693638.tif 000026
【図１９】
0006693638.tif 000027
【図２０】
0006693638.tif 000028
【図２１】
0006693638.tif 000029
【図２２】
0006693638.tif 000030
【図２３】
0006693638.tif 000031
【図２４】
0006693638.tif 000032
【図２５】
0006693638.tif 000033
【図２６】
0006693638.tif 000034
【図２７】
0006693638.tif 000035
【図２８】
0006693638.tif 000036
【図２９】
0006693638.tif 000037
【図３０】
0006693638.tif 000038
【図３１】
0006693638.tif 000039
【図３２】
0006693638.tif 000040
【図３３】
0006693638.tif 000041
【図３４】
0006693638.tif 000042
【図３５】
0006693638.tif 000043
【図３６】
0006693638.tif 000044
【図３７】
0006693638.tif 000045
【図３８】
0006693638.tif 000046
【図３９】
0006693638.tif 000047
【図４０】
0006693638.tif 000048
【図４１】
0006693638.tif 000049
【図４２】
0006693638.tif 000050
【図４３】
0006693638.tif 000051
【図４４】
0006693638.tif 000052
【図４５】
0006693638.tif 000053
【図４６】
0006693638.tif 000054